(57)【要約】  本開示は、色相ベースのフレーム固有寄与色（ＦＳＣＣ）を使用して画像を表示するための、システムと、方法と、非一時的コンピュータ可読記憶媒体と、装置とを提供する。一態様では、入力は、現在の画像フレームに対応する画像データを受信するように構成される。寄与色選択論理回路は、表示器上に現在又は次の画像フレームを生成するために、受信された画像データに基づいて、１組のフレーム独立寄与色（ＦＩＣＣ）とともに使用する１組のＦＳＣＣを取得するように構成される。１組のＦＳＣＣは、画像フレーム内の支配的な色相を決定することから取得される。画像フレームは、ＦＳＣＣを表示することに関連付けられたサブフレームが、ＦＩＣＣを表示することに関連付けられたサブフレームよりも大きい重みを有するように表示される。
2017501443.tif 000002
【特許請求の範囲】
【請求項１】
１組のフレーム独立寄与色（ＦＩＣＣ）に略対応する複数の色を発するように構成された複数の光源と、
前記複数の光源に結合され、
第１の画像フレームを示すデータを受信するように構成された入力論理回路と、
前記第１の画像フレーム内の支配的な色相の色相角を識別するために、色相ベースの色空間において少なくとも部分的に前記データを処理することによって、第２の画像フレームの表示に使用する少なくとも１つのフレーム固有寄与色（ＦＳＣＣ）を識別することと、ここにおいて、前記第２の画像フレームは、前記第１の画像フレーム及び前記第１の画像フレームに続く画像フレームのうちの１つであり、
前記識別された色相角に基づいて前記ＦＳＣＣを選択することと、
前記ＦＩＣＣと前記ＦＳＣＣとを使用して、前記第２の画像フレームが表示されるようにすることと
を行うように構成されたサブフィールド導出論理回路と
を備える、コントローラと
を備える、装置。
【請求項２】
前記サブフィールド論理回路が、前記第１の画像フレーム内の３つの支配的な色相に関連付けられた色相角を識別することによって３つのＦＳＣＣを識別することと、前記ＦＩＣＣと識別された前記３つのＦＳＣＣとを使用して、前記第２の画像フレームが表示されるようにすることとを行うように更に構成される、請求項１に記載の装置。
【請求項３】
前記サブフィールド導出論理回路が、識別された前記支配的な色相に基づいて前記複数の光源についての１組の相対照度を取得することによって、識別された前記支配的な色相に対応するように、前記ＦＳＣＣを設定するように更に構成される、請求項１に記載の装置。
【請求項４】
前記サブフィールド導出論理回路が、前記第１の画像フレーム内の複数の色相の頻度分布を決定することによって、前記色相ベースの色空間において少なくとも部分的に前記データを処理するように更に構成される、請求項１に記載の装置。
【請求項５】
前記サブフィールド導出論理回路が、前記受信データに含まれる複数の画素値をＲＧＢ色空間から前記色相ベースの色空間に変換することによって、前記色相ベースの色空間において少なくとも部分的に前記データを処理するように更に構成される、請求項４に記載の装置。
【請求項６】
前記第２の画像フレーム用の大部分の光エネルギー出力が、前記少なくとも１つのＦＳＣＣを使用して出力されるように、前記コントローラが、前記ＦＩＣＣと前記少なくとも１つのＦＳＣＣとを使用して前記第２の画像フレームを表示するように構成される、請求項１に記載の装置。
【請求項７】
少なくとも１つのＦＩＣＣについて表示されるようにされた少なくとも１つのサブフレームが、前記少なくとも１つのＦＳＣＣについて表示される任意のサブフレームの最低の重みよりも小さい対応する重みを有するように、前記コントローラが、前記ＦＩＣＣと前記少なくとも１つのＦＳＣＣとを使用して前記第２の画像フレームを表示するように構成される、請求項１に記載の装置。
【請求項８】
ＦＩＣＣと前記ＦＳＣＣとを使用して前記第２の画像フレームを表示するために前記装置によって消費される推定電力が、ＦＩＣＣのみを使用して前記第２の画像フレームを表示するために前記装置によって消費される推定電力よりも小さいとの決定に基づいて、前記サブフィールド導出論理回路が、前記ＦＩＣＣと前記ＦＳＣＣとを使用して前記第２の画像フレームが表示されるようにするように更に構成される、請求項１に記載の装置。
【請求項９】
前記複数の光源を含む表示器と、
前記表示器と通信するように構成されたプロセッサと、前記プロセッサは、画像データを処理するように構成される、
前記プロセッサと通信するように構成されたメモリデバイスと
を更に備える、請求項１に記載の装置。
【請求項１０】
前記表示器が、
前記表示器に少なくとも１つの信号を送るように構成されたドライバ回路と、
前記ドライバ回路に前記画像データの少なくとも一部分を送るように構成されたコントローラと
を更に含む、請求項９に記載の装置。
【請求項１１】
前記表示器が、
前記プロセッサに前記画像データを送るように構成された画像ソースモジュールを更に含み、前記画像ソースモジュールが、受信機、トランシーバ、及び送信機のうちの少なくとも１つを含む、請求項９に記載の装置。
【請求項１２】
前記表示器が、
入力データを受信し、前記プロセッサに前記入力データを通信するように構成された入力機器
を更に含む、請求項９に記載の装置。
【請求項１３】
画像フレームを表示するための方法であって、
第１の画像フレームを示すデータを受信することと、
前記第１の画像フレーム内の少なくとも１つの支配的な色相に関連付けられた少なくとも１つの色相角を識別するために、色相ベースの色空間において少なくとも部分的に前記受信データを処理することと、
前記少なくとも１つの色相角に基づいて少なくとも１つのフレーム固有寄与色（ＦＳＣＣ）を選択することと、
１組のフレーム独立寄与色（ＦＩＣＣ）を決定することと、
前記ＦＩＣＣと前記少なくとも１つのＦＳＣＣとを使用して第２の画像フレームを表示することと、ここにおいて、前記第２の画像フレームは、前記第１の画像フレーム及び前記第１の画像フレームに続く画像フレームのうちの１つである、
を備える、方法。
【請求項１４】
前記少なくとも１つのＦＳＣＣを選択することが、前記第１の画像フレーム内の３つの支配的な色相に関連付けられた色相角を識別することに基づいて３つのＦＳＣＣを選択することを含み、前記第２の画像フレームを表示することが、前記ＦＩＣＣと前記３つのＦＳＣＣとを使用して前記第２の画像フレームを表示することを含む、請求項１３に記載の方法。
【請求項１５】
前記色相ベースの色空間において少なくとも部分的に前記受信データを処理することが、前記第１の画像フレーム内の複数の色相の頻度分布を決定することを含む、請求項１３に記載の方法。
【請求項１６】
前記色相ベースの色空間において少なくとも部分的に前記受信データを処理することが、前記受信データに含まれる複数の画素値をＲＧＢ色空間から前記色相ベースの色空間に変換することを更に含む、請求項１５に記載の方法。
【請求項１７】
前記ＦＩＣＣと前記少なくとも１つのＦＳＣＣとを使用して前記第２の画像フレームを表示することが、前記第２の画像フレーム用の大部分の光エネルギー出力が前記少なくとも１つのＦＳＣＣを使用して出力されるように、前記第２の画像フレームを表示することを含む、請求項１３に記載の方法。
【請求項１８】
前記ＦＩＣＣと前記少なくとも１つのＦＳＣＣとを使用して前記第２の画像フレームを表示することが、前記ＦＩＣＣのうちの少なくとも１つについて表示されるようにされた少なくとも１つのサブフレームが、前記少なくとも１つのＦＳＣＣについて表示されるようにされた任意のサブフレームの最低の重みよりも小さい対応する重みを有するように、前記第２の画像フレームを表示することを含む、請求項１３に記載の方法。
【請求項１９】
前記ＦＩＣＣと前記少なくとも１つのＦＳＣＣとを使用して前記第２の画像フレームを表示することが、前記ＦＩＣＣと前記少なくとも１つのＦＳＣＣとを使用して前記第２の画像フレームを表示するために消費される推定電力が、前記ＦＩＣＣのみを使用して前記第２の画像フレームを表示するために消費される推定電力よりも小さいと決定することを含む、請求項１３に記載の方法。
【請求項２０】
プロセッサによって実行されると、
第１の画像フレームを示すデータを受信することと、
前記第１の画像フレーム内の少なくとも１つの支配的な色相に関連付けられた少なくとも１つの色相角を識別するために、色相ベースの色空間において少なくとも部分的に前記受信データを処理することと、
前記少なくとも１つの色相角に基づいて少なくとも１つのフレーム固有寄与色（ＦＳＣＣ）を選択することと、
１組のフレーム独立寄与色（ＦＩＣＣ）を決定することと、
前記ＦＩＣＣと前記少なくとも１つのＦＳＣＣとを使用して第２の画像フレームを表示することと、ここにおいて、前記第２の画像フレームは、前記第１の画像フレーム及び前記第１の画像フレームに続く画像フレームのうちの１つである、
を備える、画像を表示するための方法を前記プロセッサに実行させる、符号化された命令を有する、非一時的コンピュータ可読記憶媒体。
【請求項２１】
前記少なくとも１つのＦＳＣＣを選択することが、前記第１の画像フレーム内の３つの支配的な色相に関連付けられた色相角を識別することに基づいて３つのＦＳＣＣを選択することを含み、前記第２の画像フレームを表示することが、前記ＦＩＣＣと前記３つのＦＳＣＣとを使用して、前記第２の画像フレームを表示することを含む、請求項２０に記載の非一時的コンピュータ可読記憶媒体。
【請求項２２】
前記ＦＩＣＣと前記少なくとも１つのＦＳＣＣとを使用して前記第２の画像フレームを表示することが、前記ＦＩＣＣのうちの少なくとも１つについて表示されるようにされた少なくとも１つのサブフレームが、前記少なくとも１つのＦＳＣＣについて表示されるようにされた任意のサブフレームの最低の重みよりも小さい対応する重みを有するように、前記第２の画像フレームを表示することを含む、請求項２０に記載の非一時的コンピュータ可読記憶媒体。
【請求項２３】
前記色相ベースの色空間において少なくとも部分的に前記受信データを処理することが、前記第１の画像フレーム内の複数の色相の頻度分布を決定することを含む、請求項２０に記載の非一時的コンピュータ可読記憶媒体。
【発明の詳細な説明】
【技術分野】
【０００１】
関連出願
[0001]本特許出願は、本出願の譲受人に譲渡され、参照により本明細書に明確に組み込まれる、２０１３年１２月３日に出願された、「ＨＵＥ  ＳＥＱＵＥＮＴＩＡＬ  ＤＩＳＰＬＡＹ  ＡＰＰＡＲＡＴＵＳ  ＡＮＤ  ＭＥＴＨＯＤ」と題する、米国実用新案出願第１４／０９５，５８０号の優先権を主張する。
【０００２】
[0002]本開示は、表示器の分野に関し、詳細には、フィールドシーケンシャルカラー（ＦＳＣ）ベースの表示器上の画像の形成に関する。
【背景技術】
【０００３】
[0003]電気機械システム（ＥＭＳ）機器は、アクチュエータ、（ミラー、シャッター、及び／又は光学フィルム層などの）光学的構成要素、ならびに電子装置などの、電気的要素と機械的要素とを有する機器を含む。ＥＭＳ機器は、限定はしないが、マイクロスケールとナノスケールとを含む、様々なスケールで製造され得る。例えば、マイクロ電気機械システム（ＭＥＭＳ）機器は、約１ミクロンから数百ミクロン以上の範囲のサイズを有する構造を含むことができる。ナノ電気機械システム（ＮＥＭＳ）機器は、例えば、数百ナノメートルよりも小さいサイズを含む、１ミクロンよりも小さいサイズを有する構造を含むことができる。電気機械要素は、電気機器と電気機械機器とを形成するために、堆積、エッチング、リソグラフィ、及び／又は、堆積材料層の一部をエッチング除去するか、若しくは層を追加する、他のマイクロマシニングプロセスを使用して作成される場合がある。
【０００４】
[0004]遮光層を貫通して画定される開口を通る光路の内外に遮光構成要素を選択的に移動させることによって光を変調する表示素子を含む、ＥＭＳベースの表示装置が提案されている。そうすることにより、画像を形成するために、バックライトからの光を選択的に通過させるか、又は周囲光若しくはフロントライトからの光を反射する。
【発明の概要】
【０００５】
[0005]本開示のシステム、方法、及び機器は、各々が幾つかの発明的態様を有し、それらのうちの単一の態様だけが、本明細書で開示される望ましい属性に関与するとは限らない。
【０００６】
[0006]本開示に記載される主題の１つの発明的態様は、１組のフレーム独立寄与色（ＦＩＣＣ）に略対応する複数の色を発するように構成された複数の光源と、複数の光源に結合されたコントローラとを含む装置において実装され得る。コントローラは、第１の画像フレームを示すデータを受信するように構成された入力論理回路と、第１の画像フレーム内の支配的な色相の色相角を識別するために、色相ベースの色空間において少なくとも部分的にデータを処理することによって、第２の画像フレームの表示に使用する少なくとも１つのフレーム固有寄与色（ＦＳＣＣ）を識別することと、ここで、第２の画像フレームは、第１の画像フレーム及び第１の画像フレームに続く画像フレームのうちの１つであり、識別された色相角に基づいてＦＳＣＣを選択することと、ＦＩＣＣとＦＳＣＣとを使用して第２の画像フレームが表示されるようにすることとを行うように構成されたサブフィールド導出論理回路とを含む。
【０００７】
[0007]幾つかの実装形態では、サブフィールド論理回路は、第１の画像フレーム内の３つの支配的な色相に関連付けられた色相角を識別することによって３つのＦＳＣＣを識別することと、ＦＩＣＣと３つの識別されたＦＳＣＣとを使用して、第２の画像フレームが表示されるようにすることとを行うように更に構成される。幾つかの他の実装形態では、サブフィールド導出論理回路は、識別された支配的な色相に基づいて複数の光源についての１組の相対照度を取得することによって、識別された支配的な色相に対応するように、ＦＳＣＣを設定するように更に構成される。幾つかの実装形態では、サブフィールド導出論理回路は、第１の画像フレーム内の複数の色相の頻度分布を決定することによって、色相ベースの色空間において少なくとも部分的にデータを処理するように更に構成される。幾つかの実装形態では、サブフィールド導出論理回路は、受信データに含まれる複数の画素値をＲＧＢ色空間から色相ベースの色空間に変換することによって、色相ベースの色空間において少なくとも部分的にデータを処理するように更に構成される。
【０００８】
[0008]幾つかの実装形態では、第２の画像フレーム用の大部分の光エネルギー出力が少なくとも１つのＦＳＣＣを使用して出力されるように、コントローラは、ＦＩＣＣと少なくとも１つのＦＳＣＣとを使用して第２の画像フレームを表示するように構成される。幾つかの他の実装形態では、少なくとも１つのＦＩＣＣについて表示されるようにされた少なくとも１つのサブフレームが、少なくとも１つのＦＳＣＣについて表示される任意のサブフレームの最低の重みよりも小さい対応する重みを有するように、コントローラは、ＦＩＣＣと少なくとも１つのＦＳＣＣとを使用して第２の画像フレームを表示するように構成される。
【０００９】
[0009]幾つかの実装形態では、ＦＩＣＣとＦＳＣＣとを使用して第２の画像フレームを表示するために装置によって消費される推定電力が、ＦＩＣＣのみを使用して第２の画像フレームを表示するために装置によって消費される推定電力よりも小さいとの決定に基づいて、サブフィールド導出論理回路は、ＦＩＣＣとＦＳＣＣとを使用して第２の画像フレームが表示されるようにするように更に構成される。
【００１０】
[0010]幾つかの実装形態では、装置は、複数の光源を含む表示器と、表示器と通信するように構成されたプロセッサと、プロセッサは画像データを処理するように構成される、プロセッサと通信するように構成されたメモリデバイスとを更に含む。幾つかの実装形態では、装置は、表示器に少なくとも１つの信号を送るように構成されたドライバ回路と、ドライバ回路に画像データの少なくとも一部分を送るように構成されたコントローラとを更に含む。幾つかの実装形態では、装置は、プロセッサに画像データを送るように構成された画像ソースモジュールを更に含み、画像ソースモジュールは、受信機、トランシーバ、及び送信機のうちの少なくとも１つを含む。幾つかの実装形態では、装置は、入力データを受信し、プロセッサに入力データを通信するように構成された入力機器を更に含む。
【００１１】
[0011]本開示に記載される主題の別の発明的態様は、第１の画像フレームを示すデータを受信することと、第１の画像フレーム内の少なくとも１つの支配的な色相に関連付けられた少なくとも１つの色相角を識別するために、色相ベースの色空間において少なくとも部分的に受信データを処理することと、少なくとも１つの色相角に基づいて少なくとも１つのフレーム固有寄与色（ＦＳＣＣ）を選択することと、１組のフレーム独立寄与色（ＦＩＣＣ）を決定することと、ＦＩＣＣと少なくとも１つのＦＳＣＣとを使用して第２の画像フレームを表示することとを含む、画像フレームを表示するための方法において実装され得、ここで、第２の画像フレームは、第１の画像フレーム及び第１の画像フレームに続く画像フレームのうちの１つである。
【００１２】
[0012]幾つかの実装形態では、少なくとも１つのＦＳＣＣを選択することは、第１の画像フレーム内の３つの支配的な色相に関連付けられた色相角を識別することに基づいて３つのＦＳＣＣを選択することを含み、第２の画像フレームを表示することは、ＦＩＣＣと３つのＦＳＣＣとを使用して第２の画像フレームを表示することを含む。幾つかの実装形態では、色相ベースの色空間において少なくとも部分的に受信データを処理することは、第１の画像フレーム内の複数の色相の頻度分布を決定することを含む。幾つかの実装形態では、色相ベースの色空間において少なくとも部分的に受信データを処理することは、受信データに含まれる複数の画素値をＲＧＢ色空間から色相ベースの色空間に変換することを更に含む。
【００１３】
[0013]幾つかの実装形態では、ＦＩＣＣと少なくとも１つのＦＳＣＣとを使用して第２の画像フレームを表示することは、第２の画像フレーム用の大部分の光エネルギー出力が少なくとも１つのＦＳＣＣを使用して出力されるように、第２の画像フレームを表示することを含む。幾つかの実装形態では、ＦＩＣＣと少なくとも１つのＦＳＣＣとを使用して第２の画像フレームを表示することは、ＦＩＣＣのうちの少なくとも１つについて表示されるようにされた少なくとも１つのサブフレームが、少なくとも１つのＦＳＣＣについて表示されるようにされた任意のサブフレームの最低の重みよりも小さい対応する重みを有するように、第２の画像フレームを表示することを含む。幾つかの実装形態では、ＦＩＣＣと少なくとも１つのＦＳＣＣとを使用して第２の画像フレームを表示することは、ＦＩＣＣと少なくとも１つのＦＳＣＣとを使用して第２の画像フレームを表示するために消費される推定電力が、ＦＩＣＣのみを使用して第２の画像フレームを表示するために消費される推定電力よりも小さいと決定することを含む。
【００１４】
[0014]本開示に記載される主題の別の発明的態様は、符号化されたコンピュータ実行可能命令を記憶している非一時的コンピュータ可読記憶媒体において実装され得、コンピュータ実行可能命令は、プロセッサによって実行されると、画像を表示するための方法をプロセッサに実施させる。方法は、第１の画像フレームを示すデータを受信することと、第１の画像フレーム内の少なくとも１つの支配的な色相に関連付けられた少なくとも１つの色相角を識別するために、色相ベースの色空間において少なくとも部分的に受信データを処理することと、少なくとも１つの色相角に基づいて少なくとも１つのフレーム固有寄与色（ＦＳＣＣ）を選択することと、１組のフレーム独立寄与色（ＦＩＣＣ）を決定することと、ＦＩＣＣと少なくとも１つのＦＳＣＣとを使用して第２の画像フレームを表示することとを含み、ここで、第２の画像フレームは、第１の画像フレーム及び第１の画像フレームに続く画像フレームのうちの１つである。
【００１５】
[0015]幾つかの実装形態では、少なくとも１つのＦＳＣＣを選択することは、第１の画像フレーム内の３つの支配的な色相に関連付けられた色相角を識別することに基づいて３つのＦＳＣＣを選択することを含み、第２の画像フレームを表示することは、ＦＩＣＣと３つのＦＳＣＣとを使用して第２の画像フレームを表示することを含む。幾つかの実装形態では、ＦＩＣＣと少なくとも１つのＦＳＣＣとを使用して第２の画像フレームを表示することは、ＦＩＣＣのうちの少なくとも１つについて表示させられる少なくとも１つのサブフレームが、少なくとも１つのＦＳＣＣについて表示させられる任意のサブフレームの最低の重みよりも小さい対応する重みを有するように、第２の画像フレームを表示することを含む。幾つかの実装形態では、色相ベースの色空間において少なくとも部分的に受信データを処理することは、第１の画像フレーム内の複数の色相の頻度分布を決定することを含む。
【００１６】
[0016]本明細書に記載される主題の１つ又は複数の実装形態の詳細は、添付の図面及び下記の説明に記載される。本概要において提供された例は、主に、ＭＥＭＳベースの表示器に関して記載されたが、本明細書において提供される概念は、液晶表示器（ＬＣＤ）、有機発光ダイオード（ＯＬＥＤ）表示器、電気泳動表示器、及び電界放射表示器などの他のタイプの表示器、並びに、ＭＥＭＳマイクロフォン、センサ、及び光スイッチなどの他の非表示器ＭＥＭＳ機器に適用される場合がある。他の特徴、態様、及び利点は、説明、図面、及び特許請求の範囲から明らかになろう。以下の図の相対的な寸法は、一定の縮尺で描かれていない場合があることに留意されたい。
【図面の簡単な説明】
【００１７】
【図１Ａ】[0017]直視型マイクロ電気機械システム（ＭＥＭＳ）ベースの表示装置の例示的な概略図。
【図１Ｂ】[0018]ホスト機器の例示的なブロック図。
【図２Ａ】[0019]例示的な二重アクチュエータシャッターアセンブリの図。
【図２Ｂ】例示的な二重アクチュエータシャッターアセンブリの図。
【図３】[0020]コントローラ用の例示的なアーキテクチャのブロック図。
【図４】[0021]画像を形成する例示的なプロセスの流れ図。
【図５】[0022]例示的なサブフィールド導出論理回路のブロック図。
【図６】[0023]カラーサブフィールドを導出する例示的なプロセスの流れ図。
【図７】[0024]１組のフレーム固有寄与色（ＦＳＣＣ）を選択する例示的なプロセスの流れ図。
【図８】[0025]画像フレームの色相角の例示的なヒストグラム。
【図９】[0026]第２の例示的なサブフィールド導出論理回路のブロック図。
【図１０】[0027]画像を形成する別の例示的なプロセスの流れ図。
【図１１】[0028]例示的な色のＦＳＣＣ平滑化プロセスの流れ図。
【図１２】[0029]ＦＳＣＣを生成するためにＬＥＤ強度を計算するプロセスの流れ図。
【図１３】[0030]ＬＥＤ選択のためにセグメント化されたＣＩＥ色空間における表示の色域を示す図。
【図１４】[0031]表示器上に画像を生成するための例示的なプロセスの流れ図。
【図１５Ａ】[0032]複数の表示素子を含む表示装置を示すシステムブロック図。
【図１５Ｂ】複数の表示素子を含む表示装置を示すシステムブロック図。
【発明を実施するための形態】
【００１８】
[0033]様々な図面における同様の参照番号及び記号は、同様の要素を示す。
【００１９】
[0034]以下の説明は、本開示の発明的態様を記載する目的で、幾つかの実装態様を対象とする。しかしながら、本明細書の教示が多数の異なる方法で適用され得ることを、当業者なら容易に認識されよう。記載される実装形態は、動いていようと（ビデオなど）、静止していようと（静止画像など）、及びテキスト、グラフィック、又は絵であろうと、画像を表示するように構成され得る、任意の機器、装置、又はシステムにおいて実装される場合がある。より詳細には、記載される実装形態は、限定はしないが、モバイル電話、マルチメディアインターネット対応携帯電話、モバイルテレビジョン受信機、ワイヤレス機器、スマートフォン、Ｂｌｕｅｔｏｏｔｈ（登録商標）機器、携帯情報端末（ＰＤＡ）、ワイヤレス電子メール受信機、ハンドヘルドコンピュータ又はポータブルコンピュータ、ネットブック、ノートブック、スマートブック、タブレット、プリンタ、コピー機、スキャナ、ファクシミリ機器、全地球測位システム（ＧＰＳ）受信機／ナビゲータ、カメラ、（ＭＰ３プレーヤなどの）デジタルメディアプレーヤ、カムコーダ、ゲームコンソール、腕時計、時計、計算機、テレビジョンモニタ、フラットパネル表示器、（電子リーダなどの）電子リーディング機器、コンピュータモニタ、（走行距離計表示器及び速度計表示器などを含む）自動車用表示器、コックピットコントロール及び／又は表示器、（車両内の後部ビューカメラの表示器などの）カメラビュー表示器、電子写真、電子広告板又は電子掲示板、プロジェクタ、アーキテクチャ構造物、電子レンジ、冷蔵庫、ステレオシステム、カセットレコーダ又はカセットプレーヤ、ＤＶＤプレーヤ、ＣＤプレーヤ、ＶＣＲ、ラジオ、ポータブルメモリチップ、洗濯機、乾燥機、洗濯機／乾燥機、パーキングメータ、（マイクロ電気機械システム（ＭＥＭＳ）適用例を含む電気機械システム（ＥＭＳ）適用例、並びに非ＥＭＳ適用例などにおける）パッケージング、（宝飾品又は衣類上の画像の表示器などの）美的構造物、及び様々なＥＭＳ機器などの、様々な電子機器に含まれるか、又はそれらに関連付けられる場合があると考えられる。本明細書の教示はまた、限定はしないが、電子スイッチング機器、無線周波フィルタ、センサ、加速度計、ジャイロスコープ、動き検知機器、磁力計、コンシューマエレクトロニクスのための慣性構成要素、コンシューマエレクトロニクス製品の部品、バラクタ、液晶機器、電気泳動機器、駆動方式、製造プロセス、及び電子テスト機器などの、非表示器適用例において使用され得る。従って、本教示は、単に図に描写される実装形態に限定されるものではなく、代わりに、当業者に容易に明らかになるであろう広い適用性を有する。
【００２０】
[0035]１つの画像形成プロセスでは、コントローラは、表示器上に画像フレームを形成するために、１組のフレーム独立寄与色（ＦＩＣＣ）とともに使用するために１組のフレーム固有寄与色（ＦＳＣＣ）を選択する。幾つかの実装形態では、コントローラは、その画像フレームの色内容に基づいて、現在の画像フレーム用のＦＳＣＣを選択する。幾つかの他の実装形態では、コントローラは、現在の画像フレームの色内容に基づいて、次の画像フレーム用のＦＳＣＣを選択する。
【００２１】
[0036]幾つかの実装形態では、コントローラは、画像フレーム内の支配的な色相に基づいて、ＦＳＣＣを決定するように構成される。幾つかの実装形態では、支配的な色相は、画像フレームの画素の全て又は選択されたセットをＲＧＢ色空間からＬ＊ａ＊ｂ＊色空間に変換することによって決定され得る。次いで、コントローラは、Ｎ個の最も支配的な色相角又は色相角範囲を決定することができる。Ｎ個の最も支配的な色相角又は色相角範囲は、Ｎ個のＦＳＣＣのセットを生成するために、ＲＧＢ色空間に逆変換され得る。
【００２２】
[0037]本開示に記載される主題の特定の実装形態は、以下の潜在的な利点のうちの１つ又は複数を実現するために実装され得る。一般に、本明細書で開示される画像形成プロセスにより、ＦＳＣベースの表示器における色破壊（ＣＢＵ）が軽減される。画像形成プロセスは、ＲＧＢ色空間の代わりに色相色空間において決定されるフレーム固有寄与色（ＦＳＣＣ）を生成することによって、それを行う。２つ以上のフィールド独立寄与色（ＦＩＣＣ）の光源を同時に合成することによって、色相順次式手法で、これらのＦＳＣＣが生成され、それによりＣＢＵが低減される。幾つかの実装形態では、色相順次式手法は、画像フレームを再生するために必要とされるサブフレームの数を低減するために活用され得る。サブフレームの数を低減すると、ＦＳＣベースの表示器の電力消費を低減することができる。
【００２３】
[0038]図１Ａは、例示的な直視型ＭＥＭＳベースの表示装置１００の概略図を示す。表示装置１００は、行及び列に配列された複数の光変調器１０２ａ〜１０２ｄ（全体として光変調器１０２）を含む。表示装置１００において、光変調器１０２ａ及び１０２ｄは開状態にあり、光を通過させる。光変調器１０２ｂ及び１０２ｃは閉状態にあり、光の通過を妨げる。光変調器１０２ａ〜１０２ｄの状態を選択的に設定することによって、表示装置１００は、１つ又は複数のランプ１０５によって照明された場合、バックライト付き表示器用の画像１０４を形成するために利用され得る。別の実装形態では、装置１００は、装置の前面から発する周辺光の反射によって、画像を形成する場合がある。別の実装形態では、装置１００は、表示器の前面に配置された１つ又は複数のランプからの光の反射によって、即ちフロントライトを使用して、画像を形成する場合がある。
【００２４】
[0039]幾つかの実装形態では、各光変調器１０２は、画像１０４内の画素１０６に対応する。幾つかの他の実装形態では、表示装置１００は、画像１０４内の画素１０６を形成するために、複数の光変調器を利用する場合がある。例えば、表示装置１００は、３つの色固有光変調器１０２を含む場合がある。特定の画素１０６に対応する色固有光変調器１０２のうちの１つ又は複数を選択的に開くことによって、表示装置１００は、画像１０４内のカラー画素１０６を生成することができる。別の例では、表示装置１００は、画像１０４におけるルミナンスレベルを提供するために、画素１０６当たり２つ以上の光変調器１０２を含む。画像に関して、画素は、画像の解像度によって定義された最も小さい画素に対応する。表示装置１００の構造的な構成要素に関して、画素という用語は、画像の単一画素を形成する光を変調するために利用される、組み合わされた機械的及び電気的な構成要素を指す。
【００２５】
[0040]表示装置１００は、投影型アプリケーションで通常見出される結像光学素子を含まない場合があるという点で、直視型表示器である。投影型表示器では、表示装置の表面に形成される画像は、スクリーン又は壁に投影される。表示装置は、投影画像よりもかなり小さい。直視型表示器では、ユーザは、光変調器を含み、場合によっては表示器上で見られる輝度及び／又はコントラストを増強するためのバックライト又はフロントライトを含む表示装置を直接見ることによって、画像を見る。
【００２６】
[0041]直視型表示器は、透過モード又は反射モードのいずれかで動作することができる。透視型表示器では、光変調器は、表示器の後方に配置された１つ又は複数のランプから発する光をフィルタリング又は選択的に遮断する。ランプからの光は、各画素が一様に照明され得るように、場合によってはライトガイド又はバックライトに注入される。透過型直視型表示器は、光変調器を含む１つの基板がバックライトの上方に配置されるサンドイッチアセンブリ配列を容易にするために、透明基板又はガラス基板上にしばしば構築される。
【００２７】
[0042]各光変調器１０２は、シャッター１０８と、開口１０９とを含むことができる。画像１０４内の画素１０６を照明するために、シャッター１０８は、光が見ている人に向かって開口１０９を通過することが可能になるように配置される。画素１０６を未点灯のまま保つために、シャッター１０８は、光が開口１０９を通過することを妨げるように配置される。開口１０９は、各光変調器１０２内の反射材料又は光吸収材料を介してパターニングされた開口によって画定される。
【００２８】
[0043]表示装置は、シャッターの移動を制御するための、基板及び光変調器に接続された制御行列も含む。制御行列は、画素の行当たり少なくとも１つの（スキャンライン相互接続とも呼ばれる）書込み許可相互接続１１０と、画素の列ごとに１つのデータ相互接続１１２と、全ての画素に、又は少なくとも表示装置１００内の複数の列と複数の行の両方からの画素に共通電圧を与える１つの共通相互接続１１４とを含む、（相互接続１１０、１１２、及び１１４などの）一連の電気相互接続を含む。適切な電圧（書込み許可電圧、ＶWE）の印加に応答して、画素の所与の行に対する書込み許可相互接続１１０は、新しいシャッター移動命令を受け入れるように行内の画素を準備する。データ相互接続１１２は、データ電圧パルスの形態で新しい移動命令を通信する。データ相互接続１１２に印加されるデータ電圧パルスは、幾つかの実装形態では、シャッターの静電移動に直接寄与する。幾つかの他の実装形態では、データ電圧パルスは、通常、データ電圧よりも大きい別個の作動電圧の光変調器１０２への印加を制御する、トランジスタ又は他の非線形回路要素などのスイッチを制御する。次いで、これらの作動電圧を印加した結果、シャッター１０８の静電駆動移動が生じる。
【００２９】
[0044]図１Ｂは、例示的なホスト機器１２０（即ち、携帯電話、スマートフォン、ＰＤＡ、ＭＰ３プレーヤ、タブレット、電子リーダ、ネットブック、ノートブック、腕時計など）のブロック図を示す。ホスト機器１２０は、表示装置１２８と、ホストプロセッサ１２２と、環境センサ１２４と、ユーザ入力モジュール１２６と、電源とを含む。
【００３０】
[0045]表示装置１２８は、複数の（書込み許可電圧源とも呼ばれる）スキャンドライバ１３０と、複数の（データ電圧源とも呼ばれる）データドライバ１３２と、コントローラ１３４と、共通ドライバ１３８と、ランプ１４０〜１４６と、ランプドライバ１４８と、図１Ａに示された光変調器１０２などの表示素子のアレイ１５０とを含む。スキャンドライバ１３０は、スキャンライン相互接続１１０に書込み許可電圧を印加する。データドライバ１３２は、データ相互接続１１２にデータ電圧を印加する。
【００３１】
[0046]表示装置の幾つかの実装形態では、データドライバ１３２は、画像１０４のルミナンスレベルがアナログ方式で導出されるべきである場合は特に、表示素子のアレイ１５０にアナログデータ電圧を与えるように構成される。アナログ動作では、光変調器１０２は、ある範囲の中間電圧がデータ相互接続１１２を介して印加されると、シャッター１０８においてある範囲の中間開状態が生じ、従って、画像１０４においてある範囲の中間照明状態又はルミナンスレベルが生じるように設計される。他の場合には、データドライバ１３２は、２つ、３つ、又は４つのデジタル電圧レベルの縮小セットのみをデータ相互接続１１２に印加するように構成される。これらの電圧レベルは、デジタル方式で、シャッター１０８の各々に対して、開状態、閉状態、又は他の不連続状態を設定するように設計される。
【００３２】
[0047]スキャンドライバ１３０及びデータドライバ１３２は、（コントローラ１３４とも呼ばれる）デジタルコントローラ回路１３４に接続される。コントローラは、予め決定され、行ごと及び画像フレームごとにグループ化され得るシーケンスに編成されたデータを、ほぼ直列方式でデータドライバ１３２に送る。データドライバ１３２は、直列並列データコンバータと、レベルシフティングと、適用例によってはデジタルアナログ電圧コンバータとを含むことができる。
【００３３】
[0048]表示装置は、場合によっては、共通電圧源とも呼ばれる１組の共通ドライバ１３８を含む。幾つかの実装形態では、共通ドライバ１３８は、例えば、一連の共通相互接続１１４に電圧を供給することによって、表示素子のアレイ１５０内の全ての表示素子にＤＣ共通電位を与える。幾つかの他の実装形態では、共通ドライバ１３８は、コントローラ１３４からのコマンドに従って、表示素子のアレイ１５０に、電圧パルス又は信号、例えば、アレイ１５０の複数の行及び列内の全ての表示素子の同時作動を駆動及び／又は開始することが可能なグローバル作動パルスを発する。
【００３４】
[0049]様々な表示機能のための（スキャンドライバ１３０、データドライバ１３２、及び共通ドライバ１３８などの）ドライバの全ては、コントローラ１３４によって時間同期される。コントローラからのタイミングコマンドは、ランプドライバ１４８を介した赤、緑、青、及び白のランプ（それぞれ１４０、１４２、１４４、及び１４６）の照度と、表示素子のアレイ１５０内の特定の行の書込み許可及びシーケンシングと、データドライバ１３２からの電圧の出力と、表示素子の作動を提供する電圧の出力とを調整する。幾つかの実装形態では、ランプは発光ダイオード（ＬＥＤ）である。
【００３５】
[0050]コントローラ１３４は、それによりシャッター１０８の各々が新しい画像１０４に適した照明レベルに再設定され得る、シーケンシング方式又はアドレス指定方式を決定する。新しい画像１０４は、周期的間隔で設定され得る。例えば、ビデオ表示器の場合、ビデオのカラー画像１０４又はフレームは、１０〜３００ヘルツ（Ｈｚ）の範囲の周波数でリフレッシュされる。幾つかの実装形態では、アレイ１５０に対する画像フレームの設定は、交互の画像フレームが、赤、緑、青、及び白などの交互の一連の色で照明されるように、ランプ１４０、１４２、１４４、及び１４６の照明と同期される。それぞれの色ごとの画像フレームは、カラーサブフレームと呼ばれる。フィールド順次式カラー方法と呼ばれるこの方法では、カラーサブフレームが、２０Ｈｚを超過する周波数で交互に現れる場合、人間の脳は、交互のフレーム画像を、広い連続する範囲の色を有する画像の知覚に平均する。代替実装形態では、原色を有する４つ以上のランプは、赤、緑、青、及び白以外の原色を利用する表示装置１００において利用され得る。
【００３６】
[0051]幾つかの実装形態では、表示装置１００が開状態と閉状態との間のシャッター１０８のデジタル切替えのために設計される場合、コントローラ１３４は、前述されたように、時分割グレースケールの方法によって画像を形成する。幾つかの他の実装形態では、表示装置１００は、画素当たり複数のシャッター１０８を使用することにより、グレースケールを提供することができる。
【００３７】
[0052]幾つかの実装形態では、画像１０４の状態についてのデータは、スキャンラインとも呼ばれる個々の行の順次アドレス指定により、コントローラ１３４によって表示素子アレイ１５０に負荷される。シーケンス内の行又はスキャンラインごとに、スキャンドライバ１３０は、アレイ１５０のその行についての書込み許可相互接続１１０に書込み許可電圧を印加し、その後、データドライバ１３２は、選択された行内の列ごとに、所望のシャッター状態に対応するデータ電圧を供給する。このプロセスは、アレイ１５０内の全ての行についてデータが負荷されるまで繰り返す。幾つかの実装形態では、データローディングのための選択された行のシーケンスは線形であり、アレイ１５０内で上から下に進む。幾つかの他の実装形態では、選択された行のシーケンスは、視覚的アーティファクトを最小化するために擬似ランダム化される。また、幾つかの他の実装形態では、シーケンシングはブロックによって編成され、ここで、あるブロックに対して、画像１０４の状態のある部分のみに対するデータが、例えば、シーケンス内のアレイ１５０の５つおきの行のみをアドレス指定することによって、アレイ１５０に負荷される。
【００３８】
[0053]幾つかの実装形態では、画像データをアレイ１５０に負荷するためのプロセスは、アレイ１５０内の表示素子を作動させるプロセスとは時間的に分離される。これらの実装形態では、表示素子アレイ１５０は、アレイ１５０内の表示素子ごとにデータメモリ素子を含む場合があり、制御行列は、メモリ素子に記憶されたデータに従って、共通ドライバ１３８からシャッター１０８の同時作動を開始するトリガ信号を搬送するためのグローバル作動相互接続を含む場合がある。
【００３９】
[0054]代替実装形態では、表示素子のアレイ１５０及び表示素子を制御する制御行列は、矩形の行及び列以外の構成で配列される場合がある。例えば、表示素子は、六角形アレイ又は曲線をなす行及び列に配列され得る。一般に、本明細書で使用するスキャンラインという用語は、書込み許可相互接続を共有する、任意の複数の表示素子を指すものとする。
【００４０】
[0055]ホストプロセッサ１２２は、一般に、ホストの動作を制御する。例えば、ホストプロセッサ１２２は、ポータブル電子機器を制御するための汎用プロセッサ又は専用プロセッサであり得る。ホスト機器１２０内に含まれる表示装置１２８に対して、ホストプロセッサ１２２は、画像データ及びホストについての追加データを出力する。そのような情報は、周辺光又は温度などの環境センサからのデータ、例えばホストの動作モード若しくはホストの電源に残っている電力量を含むホストについての情報、画像データのコンテンツについての情報、画像データのタイプについての情報、及び／又は撮像モードを選択する際に使用する表示装置に対する命令を含む場合がある。
【００４１】
[0056]ユーザ入力モジュール１２６は、直接、又はホストプロセッサ１２２を介してのいずれかで、ユーザの個人的な選好をコントローラ１３４に伝える。幾つかの実装形態では、ユーザ入力モジュール１２６は、ユーザが、色をより濃くする、コントラストをより良好にする、低電力にする、輝度を高める、スポーツ、動画、又はアニメーションなどの個人的な選好をプログラムするソフトウェアによって制御される。幾つかの他の実装形態では、これらの選好は、スイッチ又はダイヤルなどのハードウェアを使用して、ホストに入力される。コントローラ１３４への複数のデータ入力は、最適な撮像特性に対応する様々なドライバ１３０、１３２、１３８、及び１４８にデータを供給するようにコントローラに指示する。
【００４２】
[0057]環境センサモジュール１２４はまた、ホスト機器１２０の一部として含まれ得る。環境センサモジュール１２４は、温度及び又は周辺光の状況などの周辺環境についてのデータを受信する。センサモジュール１２４は、機器が屋内又はオフィス環境で動作しているのか、明るい昼光の中の屋外環境で動作しているのか、夜間の屋外環境で動作しているのかを区別するようにプログラムされ得る。センサモジュール１２４は、コントローラ１３４が周辺環境に応答して視覚状況を最適化することができるように、この情報を表示器コントローラ１３４に通信する。
【００４３】
[0058]図２Ａ及び図２Ｂは、例示的な二重アクチュエータシャッターアセンブリ２００の図を示す。二重アクチュエータシャッターアセンブリ２００は、図２Ａに描写されるように、開状態にある。図２Ｂは、閉状態にある二重アクチュエータシャッターアセンブリ２００を示す。シャッターアセンブリ２００は、シャッター２０６の両側にアクチュエータ２０２と２０４とを含む。各アクチュエータ２０２及び２０４は、独立して制御される。第１のアクチュエータ、シャッターオープンアクチュエータ２０２は、シャッター２０６を開く働きをする。第２の対向するアクチュエータ、シャッタークローズアクチュエータ２０４は、シャッター２０６を閉じる働きをする。アクチュエータ２０２と２０４は両方とも、コンプライアントビーム電極アクチュエータである。アクチュエータ２０２及び２０４は、シャッターがその上方に懸架されている開口層２０７に対して実質的に平行な平面にあるシャッター２０６を駆動することによって、シャッター２０６を開閉する。シャッター２０６は、アクチュエータ２０２及び２０４に取り付けられたアンカ２０８によって、開口層２０７の少し上方に懸架される。シャッター２０６の移動軸に沿って、シャッター２０６の両端に取り付けられた支持体を含むことにより、シャッター２０６の面外運動が低減され、基板に対して実質的に平行な平面への運動が制限される。
【００４４】
[0059]シャッター２０６は、光が通過できる２つのシャッター開口２１２を含む。開口層２０７は、３つの開口２０９のセットを含む。図２Ａでは、シャッターアセンブリ２００は開状態にあり、従って、シャッターオープンアクチュエータ２０２が作動しており、シャッタークローズアクチュエータ２０４がその緩和位置にあり、シャッター開口２１２の中心線が、開口層の開口２０９のうちの２つの中心線に一致する。図２Ｂでは、シャッターアセンブリ２００は閉状態に移されており、従って、シャッターオープンアクチュエータ２０２がその緩和位置にあり、シャッタークローズアクチュエータ２０４が作動しており、シャッター２０６の遮光部分は、今や開口２０９を通る（点線として描写された）光の透過を遮断する位置にある。
【００４５】
[0060]各開口は、その周囲に少なくとも１つの辺を有する。例えば、方形の開口２０９は、４つの辺を有する。円形、楕円、卵形、又は他の湾曲開口が開口層２０７内に形成される代替実装形態では、各開口は、単一の辺のみを有する場合がある。幾つかの他の実装形態では、開口は、分離されるか、又は数学的な意味で互いに素である必要はなく、代わりに連結され得る。即ち、開口の部分又は成形断面が各シャッターとの対応関係を維持できる間、これらの断面の幾つかは、開口の単一の連続外周が複数のシャッターによって共有されるように連結される場合がある。
【００４６】
[0061]様々な出口角を有する光が開状態にある開口２１２と２０９とを通過することを可能にするために、開口層２０７内の開口２０９の対応する幅又はサイズよりも大きい幅又はサイズをシャッター開口２１２に与えることが有利である。閉状態において光が漏れることを効果的に阻止するために、シャッター２０６の遮光部分が開口２０９と重なることが好ましい。図２Ｂは、幾つかの実装形態では、シャッター２０６内の遮光部分の端部と、開口層２０７内に形成される開口２０９の一端との間に事前に画定され得る重複２１６を示す。
【００４７】
[0062]静電アクチュエータ２０２及び２０４は、それらの電圧変位挙動により、シャッターアセンブリ２００に双安定特性が与えられるように設計される。シャッターオープンアクチュエータ及びシャッタークローズアクチュエータの各々について、作動電圧を下回る電圧範囲が存在し、この電圧範囲は、そのアクチュエータが閉状態である（シャッターが開又は閉のいずれかである）間に印加された場合、対向アクチュエータに作動電圧が印加された後でも、アクチュエータを閉に保持し、シャッターを所定の位置に保持する。そのような対向力に対してシャッターの位置を維持するために必要とされる最小電圧は、維持電圧Ｖmと呼ばれる。
【００４８】
[0063]図３は、コントローラ３００用の例示的なアーキテクチャのブロック図を示す。例えば、表示装置１２８を制御するように図１Ｂに示されたコントローラ１３４は、同様のアーキテクチャに従って構築される場合がある。幾つかの他の実装形態では、図３に示されたコントローラ３００は、表示器を内蔵するホスト機器のプロセッサ内に、又は表示器に提示するためのデータを処理する別のスタンドアロン機器内に実装される。コントローラ３００は、入力３０２と、サブフィールド導出論理回路３０４と、サブフレーム生成論理回路３０６と、フレームバッファ３０７と、出力制御論理回路３０８とを含む。一緒に、これらの構成要素は画像を形成するプロセスを遂行する。
【００４９】
[0064]入力３０２は、任意のタイプのコントローラ入力であり得る。幾つかの実装形態では、入力は、ＨＤＭＩ（登録商標）ポート、ＶＧＡポート、ＤＶＩポート、ミニ表示器ポート、同軸ケーブルポート、又は１組のコンポーネントビデオケーブルポート若しくは合成ビデオケーブルポートなどの、外部機器から画像データを受信するための外部データポートである。入力３０２は、ワイヤレスに画像データを受信するためのトランシーバを含む場合もある。幾つかの他の実装形態では、入力３０２は、機器内部のプロセッサの１つ又は複数のデータポートを含む。そのようなデータポートは、メモリデバイス、ホストプロセッサ、トランシーバ、又は上述された外部データポートのいずれかから、データバスを介して表示データを受信するように構成される場合がある。
【００５０】
[0065]サブフィールド導出論理回路３０４、サブフレーム生成論理回路３０６、及び出力制御論理回路３０８は、各々、集積回路、ハードウェア、及び／又はファームウェアの組合せから形成され得る。例えば、サブフィールド導出論理回路３０４、サブフレーム生成論理回路３０６、及び出力制御論理回路３０８のうちの１つ又は複数は、１つ又は複数の特定用途向け集積回路（ＡＳＩＣ）、フィールドプログラマブルゲートアレイ（ＦＰＧＡ）、又はデジタル信号プロセッサ（ＤＳＰ）の中に組み込まれ得るか、又はそれらの間で分担され得る。幾つかの他の実装形態では、サブフィールド導出論理回路３０４、サブフレーム生成論理回路３０６、及び出力制御論理回路３０８の機能の一部又は全ては、プロセッサ実行可能命令の中に組み込まれる場合があり、プロセッサ実行可能命令は、汎用プロセッサ又は専用プロセッサなどのプロセッサによって実行されると、本明細書に記載される機能をそのプロセッサに遂行させる。
【００５１】
[0066]フレームバッファ３０７は、本明細書で開示されるプロセスに適応するのに十分な速さで画像サブフレームを記憶し出力するのに十分な読み書きの速度を有する、任意の形態のデジタルメモリであり得る。幾つかの実装形態では、フレームバッファ３０７は、ＤＲＡＭ又はフラッシュメモリなどの集積回路メモリとして実装される。
【００５２】
[0067]図４は、画像を形成する例示的なプロセス４００の流れ図を示す。プロセスは、画像フレームデータを受信すること（段階４０２）と、画像フレームを前処理すること（段階４０４）と、画像フレーム用のカラーサブフィールドを導出すること（段階４０６）と、カラーサブフィールドごとにサブフレームを生成すること（段階４０８）と、表示素子のアレイを使用してサブフレームを提示すること（段階４１０）とを含む。図３に示されたコントローラ３００の構成要素とともに、これらの段階の各々が下記で更に記載される。
【００５３】
[0068]図１と図３と図４とを参照すると、入力３０２は、表示装置１２８に提示するための画像データを受信する（段階４０２）ように構成される。画像データは、通常、表示装置１２８内の画素ごとに、赤、緑、及び青などの１組の入力色の各々についての強度値のストリームとして受信される。画像データは、表示装置１２８の中に組み込まれた電子記憶媒体などの画像ソースから直接受信される場合がある。代替として、画像データは、その中に表示装置１２８が構築されているホスト機器１２０の中に組み込まれたホストプロセッサ１２２から受信される場合がある。
【００５４】
[0069]幾つかの実装形態では、受信された画像フレームデータは、画像形成プロセス４００の残りが進行する前に前処理される（段階４０４）。例えば、幾つかの実装形態では、画像データは、表示装置１２８に含まれる画素よりも多い画素又は少ない画素についての色強度値を含む。そのような場合、入力３０２、サブフィールド導出論理回路３０４、又はコントローラ３００の中に組み込まれた他の論理回路は、表示装置１２８に含まれる画素の数に適した画像データにスケーリングすることができる。幾つかの他の実装形態では、画像フレームデータは、所与の表示ガンマを想定して符号化されて受信される。幾つかの実装形態では、そのようなガンマ符号化が検出された場合、コントローラ３００内の論理回路は、表示装置１２８のガンマにより適するように画素強度値を調整するために、ガンマ補正プロセスを適用する。例えば、画像データは、しばしば、典型的な液晶表示器（ＬＣＤ）のガンマに基づいて符号化される。この通常のガンマ符号化に対処するために、コントローラ３００は、１組のＬＣＤガンマ符号化された画素値が与えられると、適切な強度値をそれから迅速に取り出すことができる、ガンマ補正参照テーブル（ＬＵＴ）を記憶する場合がある。幾つかの実装形態では、ＬＵＴは、色あたり１６ビットの解像度を有する、対応するＲＧＢ強度を含むが、他の実装形態において他の色解像度が使用される場合がある。
【００５５】
[0070]幾つかの実装形態では、コントローラ３００は、画像の前処理の一部として、受信された画像フレームにヒストグラム関数を適用する（段階４０４）。ヒストグラム関数は、コントローラ３００の他の構成要素によって使用され得る画像フレームについての様々な統計値を決定する。例えば、一実装形態では、ヒストグラム関数は、ＦＩＣＣごとに、画像フレーム内のＦＩＣＣの平均強度と、０の強度を有する画素の比率とを計算する。このヒストグラムデータは、下記でより詳細に記載されるように、ＦＳＣＣを選択する際に使用され得る。
【００５６】
[0071]コントローラ３００はまた、フレームごとにヒストグラムデータの履歴を記憶することができる。一実装形態では、連続する画像フレームからのヒストグラムデータは、シーン変化が発生したかどうかを決定するために比較される。具体的には、現在のフレーム用のヒストグラムデータが前の画像フレームのヒストグラムデータとは閾値を超えて異なる場合、コントローラは、シーン変化が発生したと決定し、それに応じて現在の画像フレームを処理する。例えば、幾つかの実装形態では、シーン変化の検出に応答して、コントローラ３００は、シーン変化が検出されない場合使用しないはずのコンテンツ適応型バックライト制御（ＣＡＢＣ）プロセスを選ぶ。
【００５７】
[0072]幾つかの実装形態では、画像フレーム処理（段階４０４）は、ディザリング段階を含む。幾つかの実装形態では、表示装置１２８がそのような色あたり多数のビットを表示するために構成されていない場合でも、デガンマ符号化のプロセスは、色あたり１６ビットの画素値をもたらす。ディザリングプロセスは、これらの画素値を、色あたり６ビット又は８ビットなどの表示器に利用可能な色解像度に変換することに関連する任意の量子化誤差を分散させる助けになることができる。
【００５８】
[0073]例示的なディザリングプロセスでは、コントローラは、表示器によって使用されるＦＩＣＣの各々について、画素ごとに、その最初の多数のビット表現とその量子化表現との間の差分を計算する。この例の場合、ＦＩＣＣは赤、緑、及び青であると想定する。差分計算は、
【００５９】
【数１】
2017501443.tif 000003
【００６０】
と表され得、
ここで、ＲQ、ＧQ、及びＢQは、画素用の量子化された赤、緑、及び青の強度値を表し、Ｒ、Ｇ、及びＢは、量子化されていない赤、緑、及び青の強度値を表し、ΔＲ、ΔＧ、及びΔＢは、それらのそれぞれの差分を表す。これらの差分値から、コントローラは、画素ごとに、合成ルミナンス誤差値を計算する。ルミナンス誤差ΔＬは、
【００６１】
【数２】
2017501443.tif 000004
【００６２】
と計算され得、
但し、Ｙrgamut、Ｙggamut、及びＹbgamutは、表示器が動作している色域内で使用される赤、緑、及び青の原色の三刺激値のＹ成分を表す。次いで、コントローラ３００は、決定されたルミナンス誤差に基づいて、適切な増分を識別し、各画素の赤、緑、及び青の強度値に適用する。一実装形態では、増分はＬＵＴを使用して識別される。ＬＵＴに基づいて画素強度値を増分させた後、コントローラ３００は、画素の最初の非量子化値とそれらの新しい量子化値との間の更新された差分を再計算する。画素用のこの差分値は、
【００６３】
【数３】
2017501443.tif 000005
【００６４】
と計算され得、
但し、ＬＵＴR（ΔＬ）、ＬＵＴG（ΔＬ）、及びＬＵＴB（ΔＬ）は、前に計算されたルミナンス誤差ΔＬに基づいて、ＬＵＴから取得された画素用の赤、緑、及び青の強度を増分させる値を表す。これらの新しい差分値は、色の追加に起因してより良好にルミナンスを表すが、ここでは色誤差を含み、次いで、色誤差は、誤差分散アルゴリズムを使用して隣接画素の間に分散される。幾つかの実装形態では、誤差は、ハードコードされた５×５カーネルを使用するフロイド−スタインバーグディザリングアルゴリズムを使用することによって分散される。幾つかの他の実装形態では、他のカーネルサイズ、及び／又は様々なディザリングアルゴリズム若しくはディザリングマスクが利用される。結果として、量子化からもたらされたルミナンス誤差は、分散形式でＦＩＣＣカラーチャネルにさらなるルミナンスを分散させることによって補正され、特に検出するべきＨＶＳにとって困難である補正を提供する。
【００６５】
[0074]前処理が完了した後、サブフィールド導出論理回路３０４は、受信された画像データを処理し、それをカラーサブフィールドに変換し（段階４０６）、次いで、カラーサブフィールドは、画像データ内で符号化された画像を再作成するようにユーザに表示される。幾つかの実装形態では、サブフィールド導出論理回路３０４は、入力色に加えて使用して任意の所与の画像フレームを形成するために、１つ又は複数の合成色を動的に選択することができる。合成色は、２つ以上の入力色の組合せから形成される色である。例えば、黄色は赤及び緑の合成であり、白は赤、緑、及び青の合成である。幾つかの他の実装形態では、サブフィールド導出論理回路３０４は、画像を形成するために入力色に加えて２つ以上の合成色を使用するように事前構成される。更に幾つかの他の実装形態では、サブフィールド導出論理回路３０４は、画像フレームごとに、そのような使用が節電をもたらすかどうかに基づいて、画像を形成するために任意の合成色を使用するべきか否かを決定するように構成される。これらの実装形態の各々において、サブフィールド導出論理回路３０４は、表示されている画素ごとに、画像を形成するために使用される（全体的に「寄与色」と呼ばれる）色ごとの１組の強度値を生成する。これらの実装形態の各々についてのさらなる詳細が以下に提供される。
【００６６】
[0075]サブフレーム生成論理回路３０６は、サブフィールド導出論理回路３０４によって導出されたカラーサブフィールドを取得し、受信された画像データ内で符号化された画像を再生するために、図１Ｂに示された表示素子のアレイ１５０などの表示素子のアレイに負荷され得る１組のサブフレームを生成する（段階４０８）。各表示素子が２つの状態、ＯＮ又はＯＦＦのみに配置され得るバイナリ表示器の場合、サブフレーム生成論理回路３０６は、１組のビットプレーンを生成する。
【００６７】
[0076]各ビットプレーンは、所与のサブフレーム用のアレイ内の表示素子の各々の必要な状態を識別する。ビットプレーンの数が削減されることで達成され得るグレースケール値の数を増大させるために、サブフレーム生成論理回路３０６は、各サブフレームに重みを割り当てる。幾つかの実装形態では、各ビットプレーンはバイナリ重み付け方式に従って重みを割り当てられ、バイナリ重み付け方式では、所与の色用の各連続するサブフレームは、次の最低の重み、例えば、１、２、４、８、１６、３２などを有するサブフレームの重みの２倍の重みを割り当てられる。幾つかの他の実装形態では、重みは、非バイナリ重み付け方式に従って１つ又は複数の色に関連付けられたサブフレームに割り振られる。そのような非バイナリ重み付け方式は、同じ重みを有する複数のサブフレーム、及び／又は重みが次の最低の重みを有するサブフレームの重みの２倍の重みよりも大きいか小さいサブフレームを含む場合がある。
【００６８】
[0077]サブフレームを生成する（段階４０８）ために、サブフレーム生成論理回路３０６は、色強度値を、コードワードと呼ばれる１及び０のバイナリ列に変換する。１及び０は、画像フレーム用の色についての各サブフレーム内の所与の表示素子の必要な状態を表す。幾つかの実装形態では、サブフレーム生成論理回路３０６は、各強度値をコードワードと関連付けるＬＵＴを含むか、それにアクセスする。次いで、画素ごとの色ごとのコードワードは、フレームバッファ３０７に記憶される。
【００６９】
[0078]出力制御論理回路３０８は、サブフレーム生成論理回路３０６によって生成されたサブフレームを見ている人に提示されるようにする（段階４１０）ために、表示装置の構成要素の残りへの信号の出力を制御するように構成される。例えば、図１Ｂに示された表示装置１２８内で使用される場合、出力制御論理回路３０８は、アレイ１５０内の表示素子にビットプレーンを負荷し、次いで、ランプ１４０、１４２、１４４、及び１４６で表示素子を照明するために、図１Ｂに示されたデータドライバ１３２、スキャンドライバ１３０、及びランプドライバ１４８への信号の出力を制御するはずである。出力制御論理回路３０８は、サブフレーム生成論理回路３０６によって生成されたサブフレームの各々がデータドライバ１３２に出力されるべき時間と、スキャンドライバ１３０がいつトリガされるべきかと、ランプドライバ１４８の各々がいつトリガされるべきかとを示すスケジューリングデータを含む。
【００７０】
[0079]図５は、例示的なサブフィールド導出論理回路５００のブロック図を示す。サブフィールド導出論理回路５００は、寄与色選択論理回路５０２と、画素変換論理回路５０４と、メモリ５０６とを含む。サブフィールド導出論理回路５００は、１組のＦＩＣＣとともに動的に選択された１組のＦＳＣＣを使用して、受信された画像フレームごとに見ている人に提示するために、１組のカラーサブフィールドを生成するように構成される。そのようなカラーサブフィールドを導出するための１つのプロセスが図６に示される。
【００７１】
[0080]図６は、カラーサブフィールドを導出する例示的なプロセス６００の流れ図を示す。プロセス６００は、図４に示された画像４００を形成するプロセスの段階４０６を実行するために使用される場合がある。プロセス６００は、画像フレームを受信すること（段階６０２）と、画像を形成する際に使用するために１組のＦＳＣＣを取得すること（段階６０４）と、画像フレーム用の１組のＦＳＣＣについてのカラーサブフィールドを導出すること（段階６０６）と、次いで、ＦＳＣＣサブフィールドの画素値に基づいてＦＩＣＣのカラーサブフィールドを調整すること（段階６０８）とを含む。これらの段階の各々、及びサブフィールド導出論理回路５００の構成要素が、下記で更に記載される。
【００７２】
[0081]図５と図６とを参照すると、上述されたように、カラーサブフィールドを導出するプロセス６００は、画像フレームを受信すること（段階６０２）から始まる。画像フレームは、例えば、図３に示されたコントローラ３００の入力３０２から受信される場合がある。受信された画像フレームは、寄与色選択論理回路５０２に渡される。
【００７３】
[0082]寄与色選択論理回路５０２は、画像を形成する際に使用するために１組のＦＳＣＣを取得する（段階６０４）ように構成される。幾つかの実装形態では、寄与色選択論理回路５０２は、その画像フレームに関連付けられた画像データを使用して画像を形成する際に使用するために、１組のＦＳＣＣを取得するように構成される。幾つかの他の実装形態では、寄与色選択論理回路５０２は、１つ又は複数の前の画像フレームに関連付けられた画像データに基づいて、画像フレーム用の１組のＦＳＣＣを取得する。そのような実装形態では、寄与色選択論理回路５０２は、現在の画像フレームを分析し、次の画像フレーム（段階６０５）内で使用されるべき１組のＦＳＣＣをメモリ５０６に記憶し、前の画像フレームに基づいて記憶された１組のＦＳＣＣをメモリ５０６から取り出すことによって、現在のフレーム（段階６０４）内で使用するために１組のＦＳＣＣを取得する。
【００７４】
[0083]（現在の画像フレーム又は次の画像フレームのいずれかのための）１組のＦＳＣＣを選択するために、寄与色選択論理回路５０２は、フレーム分析器５０８と選択論理回路５１０とを含む。一般に、フレーム分析器５０８は、その全体的な色特性を決定するために画像フレームを分析し、その出力に基づいて、選択論理回路５１０は１組のＦＳＣＣを選択する。幾つかの実装形態では、フレーム分析器５０８は、色相角ベースの色空間に基づいて、画像フレームを分析することができる。それにより寄与色選択論理回路５０２が１組のＦＳＣＣを選択することができる例示的なプロセスが、図７〜図８に関して下記で更に記載される。
【００７５】
[0084]図７は、１組のＦＳＣＣを選択する例示的なプロセス７００の流れ図を示す。ＦＳＣＣ選択プロセス７００は、寄与色選択論理回路５０２による実行に適したＦＳＣＣ選択プロセスの一例である。プロセス７００は、ＲＧＢ画素値をＬ＊ａ＊ｂ＊色空間内の値に変換すること（段階７０２）と、画素ごとに色相角を決定すること（段階７０４）と、画像フレーム内の色の色相角のヒストグラムを取得し、Ｎ個の支配的な色相角を選択すること（段階７０６）と、Ｎ個の支配的な色相角の各々を対応するＲＧＢ値に変換すること（段階７０８）と、１組のＦＳＣＣとしてＮ個のＲＧＢ値を使用すること（段階７１０）とを含む。
【００７６】
[0085]上述されたように、プロセス７００は、画像フレーム内の各画素のＲＧＢ画素値をＬ＊ａ＊ｂ＊色空間内の値に変換すること（段階７０２）を含む。幾つかの実装形態では、Ｌ＊ａ＊ｂ＊色空間の代わりに、Ｌ＊Ｃ＊ｈ色空間、色相飽和値（ＨＳＶ）色空間、色相飽和明度（ＨＳＬ）色空間、又はマンセル表色系に基づく任意の色空間などの他の色相角ベースの色空間。幾つかの実装形態では、この変換は、図５に示されたフレーム分析器５０８によって遂行され得る。Ｌ＊ａ＊ｂ＊色空間への変換は、画像フレーム内の支配的な色相が決定され得るように遂行される。下記で更に説明されるように、画像フレーム内の支配的な色相の決定は、１組のＦＳＣＣを決定するために使用され得る。
【００７７】
[0086]幾つかの実装形態では、画像フレーム内の全ての画素のサブセットのみがＬ＊ａ＊ｂ＊色空間に変換される場合がある。例えば、（図５に示された）寄与色選択論理回路５０２は、画像フレーム全体の平均ルミナンス又は中央ルミナンス（若しくはそれらの何分の１）よりも大きいルミナンス値を有する画素を選択する場合がある。次いで、これらの選択された画素のみの画素値が、Ｌ＊ａ＊ｂ＊色空間内の値に変換される場合がある。
【００７８】
[0087]幾つかの実装形態では、ＲＧＢ画素値をＬ＊ａ＊ｂ＊色空間内の値に変換するために、２段階プロセスが使用され得る。最初に、ＲＧＢ画素値がＸＹＺ色空間内のＸＹＺ三刺激値に変換され得る。次いで、ＸＹＺ三刺激値がＬ＊ａ＊ｂ＊色空間内の均等値に変換され得る。幾つかの実装形態では、ＲＧＢ画素値は、それらの均等ＸＹＺ三刺激値に分析的に変換され得る。
【００７９】
【数４】
2017501443.tif 000006
【００８０】
【数５】
2017501443.tif 000007
【００８１】
であり、
【００８２】
【数６】
2017501443.tif 000008
【００８３】
同様に、
【００８４】
【数７】
2017501443.tif 000009
【００８５】
Ｓr、Ｓg、及びＳbは、全域の白点の形成に対する赤、緑、及び青の原色の相対強度に対応する。全域の白点は、全域によって利用される特定の白色を指す。
【００８６】
[0088]画像フレーム用の画素値がＸＹＺ色空間に変換されると、Ｌ＊ａ＊ｂ＊色空間内の値は、
【００８７】
【数８】
2017501443.tif 000010
【００８８】
によって決定され得、但し、Ｘn、Ｙn、及びＺnは、ＸＹＺ色空間内の白点の三刺激値座標であり、但し、
【００８９】
【数９】
2017501443.tif 000011
【００９０】
である。
【００９１】
[0089]このようにして、上述されたように、画像フレームのＲＧＢ画素値は、Ｌ＊ａ＊ｂ＊色空間内の値に変換され得る。幾つかの他の実装形態では、ＲＧＢ画素値は、Ｌ＊ａ＊ｂ＊色空間に変換される前に、ＸＹＺ色空間以外の中間色空間に変換される場合がある。
【００９２】
[0090]上述されたように、プロセス７００は、画像フレーム内の選択された画素用の色相角を決定すること（段階７０４）を更に含む。幾つかの実装形態では、画素用の色相角は、Ｌ＊ａ＊ｂ＊色空間内の画素値から決定され得る。具体的には、色相角θは、
【００９３】
【数１０】
2017501443.tif 000012
【００９４】
によって決定され得る。
【００９５】
[0091]幾つかの他の実装形態では、ＲＧＢ画素値をＬ＊ａ＊ｂ＊色空間内のそれらの対応する値に直接変換するために、参照テーブルが利用される場合がある。幾つかのそのような実装形態では、寄与色選択論理回路５０２は、ＲＧＢ−Ｌ＊ａ＊ｂ＊参照テーブル（ＬＵＴ）を生成し、記憶する場合がある。ＲＧＢ画素値及び対応する色相角は、ＲＧＢ−Ｌ＊ａ＊ｂ＊ＬＵＴを実装するために使用され得る。幾つかの実装形態では、ＲＧＢ−Ｌ＊ａ＊ｂ＊ＬＵＴは、ＲＧＢ画素値に色相角に関する情報を記憶することができる。幾つかの実装形態では、下記に記載されるように、ＲＧＢ−Ｌ＊ａ＊ｂ＊ＬＵＴ又はそれから導出される別のＬＵＴは、支配的な色相角をＲＧＢ色空間内の画素値に逆変換するために利用され得る。幾つかの実装形態では、ＲＧＢ−Ｌ＊ａ＊ｂ＊ＬＵＴに記憶される値は、経験的に決定され得る。
【００９６】
[0092]画像フレーム内の選択された画素用の色相角が決定されると、プロセス７００は、画像フレーム内の色の色相角のヒストグラムを取得し、Ｎ個の支配的な色相角を選択すること（段階７０６）に進む。幾つかの実装形態では、画像フレーム内の全ての画素の色相角のヒストグラムが取得される場合がある。幾つかの他の実装形態では、画像フレーム全体の平均ルミナンス又は中央ルミナンス（若しくはそれらの何分の１）よりも大きいルミナンス値を有する、選択された画素のみの色相角のヒストグラムが取得される場合がある。ヒストグラムは、画像フレーム内の色相の分布に関する情報を提供することができる。そのため、ヒストグラムは、画像フレーム内の色相角の発生の測定値を含む。
【００９７】
[0093]図８は、画像フレームの色相角の例示的なヒストグラム８００を示す。ヒストグラムの水平軸８０２は、（１から２４の番号が振られた）様々なビンを表し、但し、各ビンは色相角の全範囲のサブセットを表す。通常、色相角の全範囲は、約２πラジアンであり得る。幾つかの実装形態では、色相角は、０ラジアンから２πラジアンの間の値を有することができる。幾つかの他の実装形態では、色相角は、−πラジアンからπラジアンの間の値を有することができる。幾つかの実装形態では、範囲は２４ビンの間で等しく分割され得る。幾つかの他の実装形態では、範囲は２４ビンの間で不均等に分割され得る。ビンの数は図８に示された数に限定されない。幾つかの実装形態では、支配的な色相の決定の精度を向上するために、より多数のビンが使用される場合がある。幾つかの他の実装形態では、ヒストグラム８００を生成し処理するために必要とされる時間、メモリ、及び／又は処理電力を低減するために、ビンの数が減らされる場合がある。幾つかの他の実装形態では、現在の画像フレーム及び／又は１つ以上の前の画像フレーム内の色相角の分布に基づいて、ビンの数が調整される場合がある。幾つかの実装形態では、ビンの数は、１６、３２、４１、５０、１００など、又はＮよりも大きい任意の他の整数に等しくなり得る。
【００９８】
[0094]ヒストグラム８００の垂直軸８０４は、画像フレーム内の画素の色相角が各ビン内で発生する頻度を表す。各ビン内の頻度は矩形によって表され、但し、矩形の高さはビン内の頻度を示す。例えば、ビン７用の矩形の高さは５２である。これは、画像フレーム内の選択された画素のうちの約５２が、ビン７によって表された色相角範囲内の色相角を有することを意味する。画像フレーム内の色相角の優占度は、その色相範囲に属する色相角がどれほど頻繁に画像フレーム内で発生するかによって示される。従って、ビン用の矩形の高さは、ビンに関連付けられた色相範囲の優占度を示す。例えば、ビン１３用の矩形の高さ（８０）がヒストグラム８００内の全ての矩形の中で最も大きいので、ビン１３に関連付けられた色相範囲が最も支配的である。支配的な色相範囲が決定されると、選択されたビンから色相角が決定され得る。
【００９９】
[0095]幾つかの実装形態では、Ｎ個の最も支配的な色相角を決定するために、寄与色選択論理回路５０２は、最初にＮ個の最も支配的な色相範囲を決定する場合がある。次いで、Ｎ個の最も支配的な色相範囲の各々からの１つの色相角が、Ｎ個の最も支配的な色相角の１つとして選択され得る。Ｎ個の最も支配的な色相範囲は、Ｎ個の最も高い頻度を決定し、次いでそれらの頻度に関連付けられたビンを選択することによって、ヒストグラム８００から決定され得る。例えば、Ｎ＝１の場合、８０が最も高い頻度であり、ビン１３が選択されるはずであり、Ｎ＝２の場合、８０及び６６が２つの最も高い頻度であり、ビン１３及びビン２３が選択されるはずであり、Ｎ＝３の場合、８０、６６、及び６２が３つの最も高い頻度であり、ビン１３、ビン２３、及びビン９が選択されるはずである。
【０１００】
[0096]場合によっては、２つ以上のビンが同じ関連付けられた頻度を有する場合がある。例えば、Ｎ＝４の場合、８０、６６、６２、及び５２が４つの最も高い頻度であるが、２つのビン、ビン７及びビン２０は、同じ頻度５２を有する。従って、Ｎ＝４の場合でも、選択を受ける資格がある５つのビンが存在する。幾つかの実装形態では、寄与色選択論理回路５０２は、調停し、ビン７及びビン２０のうちの１つを選択することができる。幾つかの実装形態では、調停は、ビン７及びビン２０のうちの１つをランダムに選択することを含むことができる。幾つかの他の実装形態では、調停は、２つのビンに隣接するビンの頻度を識別し、それらのビン全体にわたってビンのより高い総計頻度を有するビンを選択することを含むことができる。例えば、寄与色選択論理回路５０２は、それぞれ、ビン７及びビン２０の隣接ビンとして、ビン６及びビン８と、ビン１９及びビン２１とを識別することができる。ビン６〜８の総計頻度がビン１９〜２１の総計頻度よりも大きいので、ビン２０と比較してビン７が選択され得る。
【０１０１】
[0097]幾つかの実装形態では、寄与色選択論理回路５０２は、最初に重複しない連続するビンのＮ個のグループを識別し、次いでＮ個のグループの各々から１つのビンを選択することによって、Ｎ個の支配的なビンを決定することができる。例えば、Ｎ＝３の場合、寄与色選択論理回路５０２は、第１のグループとしてビン１〜８を識別し、第２のグループとしてビン９〜１６を識別し、第３のグループとしてビン１７〜２４を識別することができる。次いで、各グループ内で最も高い頻度を有するビンが、３つの支配的なビンの１つとして選択され得る。例えば、ビン７、ビン１３、及びビン２３が、それぞれ、第１のグループ、第２のグループ、及び第３のグループ内で最も高い頻度を有するビンである。従って、ビン７、ビン１３、及びビン２３が、３つの最も支配的なビンとして選択され得る。
【０１０２】
[0098]幾つかの実装形態では、ヒストグラム８００は、ヒストグラム８００内のピークを決定するために、ピーク検出アルゴリズムを使用して処理される場合がある。幾つかの実装形態では、線又は曲線の適合プロセスがビンの頻度値に適用され得、得られた線又は曲線の中でピークが見出され得る。幾つかのそのような実装形態では、寄与色選択論理回路５０２は、ピーク検出アルゴリズムによって決定されたＮ個の最も高いピークに対応するＮ個のビンを選択することができる。
【０１０３】
[0099]幾つかの実装形態では、寄与色選択論理回路５０２は、任意の２つの潜在的に支配的なビンの間に最小色相角分離を課す場合がある。例えば、Ｎ個の支配的なビンを選択するプロセスにおいて、寄与色選択論理回路５０２は、Ｎ個の最も支配的なビンのみを選択する場合があり、それらのうちの任意の２つは少なくとも最小色相角によって分離される。例えば、寄与色選択論理回路５０２は、少なくとも３つのビンによって分離されたそれらの支配的な色相範囲のみを選択する場合がある。幾つかのそのような実装形態では、Ｎ＝４の場合、選択されるビンは、ビン１３、ビン２３、ビン９、及びビン２０であるはずである。ビン７は、ビン９から２つのビンしか離れていないので、除外されるはずである。
【０１０４】
[0100]上述されたように、Ｎ個の支配的な色相角を決定するために、識別されたＮ個の支配的なビンの各々から、１つの色相角が選択され得る。幾つかの実装形態では、寄与色選択論理回路５０２は、選択されたビンに関連付けられた色相角範囲の中央にある色相角を選択する場合がある。幾つかの他の実装形態では、選択されたビンに関連付けられた色相角範囲内の色相角の中央値が選択される場合がある。幾つかのそのような実装形態では、選択されたビンに関連付けられた色相角範囲内の色相角の分布から、中央値が決定され得る。幾つかの他の実装形態では、選択されたビンは、その対応する範囲内の事前選択された色相角に関連付けられる場合があり、その色相角は、そのビンがＮ個の支配的なビンの１つとして識別されると、支配的な色相角として選択される。
【０１０５】
[0101]Ｎ個の支配的な色相角が決定されると、寄与色選択論理回路５０２は、Ｎ個の支配的な色相角をＲＧＢ色空間内のＮ個の強度値に変換することができる。上記で説明されたように、色相角は、Ｌ＊ａ＊ｂ＊色空間内のａ＊対ｂ＊の比の関数である。即ち、ａ＊及びｂ＊の幾つかの値は、同じ色相角をもたらすことができる。更に、色相角欠如情報は、明度又はＬ＊値に関する。従って、Ｎ個の支配的な色相値からＲＧＢ色空間内のＮ個の均等な強度値への分析的変換は、実現可能ではない場合がある。幾つかの実装形態では、寄与色選択論理回路５０２によって記憶されるか、又はそれにアクセス可能な参照テーブルは、Ｎ個の支配的な色相角をＲＧＢ色空間内の対応するＮ個の強度値に変換するために利用され得る。例えば、ＲＧＢ−Ｌ＊ａ＊ｂ＊ＬＵＴ（又はそれから導出された１つ）は、様々な色相値にＲＧＢ色空間内の強度値を提供するために利用され得る。
【０１０６】
[0102]Ｎ個の支配的な色相角又はＮ個の支配的なビンに対応するＮ個のＲＧＢ強度値が決定されると、寄与色選択論理回路５０２は、これらのＮ個のＲＧＢ強度値を１組のＦＳＣＣとして使用することができる（段階７１０）。上述されたように、１組のＦＳＣＣは、ＦＳＣＣサブフィールドを生成する際に利用され得る。次に、ＦＳＣＣサブフィールドは、画像フレームのＦＩＣＣサブフィールドを調整する際に利用され得る。
【０１０７】
[0103]再び図５と図６とを参照すると、サブフィールド導出論理回路５００が現在の画像フレームに基づいて次の画像フレームに使用するために１組のＦＳＣＣを決定する実装形態では、サブフィールド導出論理回路５００は、メモリ５０６から前に記憶された１組のＦＳＣＣを取り出し、新しく選択された１組のＦＳＣＣをメモリ５０６に記憶する（段階６０５）。サブフィールド導出論理回路５００が現在の画像フレームに含まれるデータに基づいて現在の画像フレームに１組のＦＳＣＣを使用する実装形態では、サブフィールド導出論理回路５００は、寄与色選択論理回路５０２によって選択された１組のＦＳＣＣを使用して、サブフィールド導出プロセス６００の次の段階に直ちに進む。
【０１０８】
[0104]更に図５と図６とを参照すると、寄与色選択論理回路５０２が（メモリから、又は現在の画像フレームに基づいて）画像フレームに使用するために１組のＦＳＣＣを取得したと想定すると、サブフィールド導出論理回路５００は、１組のＦＳＣＣに属するＦＳＣＣごとにＦＳＣＣサブフィールドを導出すること（段階６０６）に進む。幾つかの実装形態では、サブフィールド導出論理回路５００の画素変換論理回路５０４は、１度にＦＳＣＣサブフィールドを１つずつ、繰り返しＦＳＣＣサブフィールドを作成する。例えば、ＦＳＣＣごとに、サブフィールド導出論理回路５００は、ＦＳＣＣ強度値を識別し、ＦＳＣＣサブフィールドにＦＳＣＣ値を記憶し、識別されたＦＳＣＣ強度値に基づいてＦＩＣＣサブフィールドを更新することができる。幾つかの実装形態では、ＦＳＣＣサブフィールドは、ＦＳＣＣの選択において識別された色相角の相対的な優占度の順序で導出される場合がある。
【０１０９】
[0105]幾つかの実装形態では、ＦＳＣＣ強度値は、画素の色度を変更せずにＦＳＣＣを使用して画素ごとに出力される可能性がある最大光強度に対応する強度値になるように識別される。そのようなＦＳＣＣサブフィールド導出方式は「最大交換方式」と呼ばれ、そのような方式から得られた値は「最大交換強度値」と呼ばれる。幾つかの他の実装形態では、サブフィールド導出論理回路５００は、画素ごとに最大交換強度値の何分の１のみがＦＳＣＣサブフィールドに割り振られる、異なる方式を利用する。例えば、サブフィールド導出論理回路５００は、幾つかの実装形態では、その画素用の最大交換強度値の約０．５倍と約０．９倍との間に等しくなるように、ＦＳＣＣサブフィールド内の各画素に強度を割り当てるが、約０．５よりも小さい他の割合、及び約０．９と１．０との間の他の割合も利用され得る。この方式は、割合交換方式と呼ばれる。
【０１１０】
[0106]上記で示されたように、ＦＳＣＣサブフィールドが導出されるとき（段階６０６）、サブフィールド導出論理回路５００の画素変換論理回路５０４は、ＦＳＣＣサブフィールドに基づいてＦＩＣＣサブフィールドを調整する（段階６０８）。選択されたＦＳＣＣに応じて、ＦＩＣＣサブフィールドのうちの２つ以上が調整される必要があり得る。より詳細には、画素変換論理回路５０４は、１組のＦＳＣＣの各々を形成するように、結合するＦＩＣＣに関連付けられたＦＩＣＣサブフィールドの画素強度を調整する。例えば、ＦＩＣＣが赤と緑と青とを含むと想定する。シアンがＦＳＣＣとして選択された場合、画素変換論理回路５０４は、青及び緑のサブフィールド用の画素強度値を調整することになる。黄色がＦＳＣＣとして選択された場合、画素変換論理回路５０４は、赤及び緑のサブフィールド用の画素強度値を調整することになる。白、又はＲＧＢ色域の縁部から離れた任意の他の色がＦＳＣＣとして選択された場合、画素変換論理回路５０４は、３つのＦＩＣＣサブフィールド全ての画素強度値を調整することになる。
【０１１１】
[0107]数学的に表現されると、画素ｎ用のＲ、Ｇ、及びＢの初期ＦＩＣＣ強度値を有する画素の場合、画素変換論理回路５０４は、それぞれのＦＩＣＣサブフィールド内の更新された強度値Ｒ’、Ｇ’、及びＢ’を以下のように設定する。
【０１１２】
【数１１】
2017501443.tif 000013
【０１１３】
但し、ｘnは画素ｎ用のＦＳＣＣ強度値であり、ｘnR、ｘnG、及びｘnBは、ＦＳＣＣ内の各ＦＩＣＣ（それぞれ、赤、緑、及び青）の相対強度値である。
【０１１４】
[0108]初期ＦＩＣＣサブフィールドは、必要であった場合がある任意の前処理（図４に示された段階４０４参照）が完了した後、図３に示されたコントローラ入力３０２から受信された画像フレーム用の画像データから導出される。ＦＩＣＣサブフィールドを調整するために、画素変換論理回路５０４は、初期ＦＩＣＣサブフィールドから始まり、ＦＳＣＣサブフィールド内の画素用のそれぞれの画素強度を生成するために使用されるＦＩＣＣの強度を、対応するＦＩＣＣサブフィールド内の画素ごとの強度値から減算する。
【０１１５】
[0109]単一の画素についての以下の例を考え、但し、寄与色選択論理回路５０２は、２つのＦＳＣＣとしてマゼンタと黄色とを選択している。ＦＩＣＣサブフィールド内の画素用の強度値が赤２００、緑１００、及び青５０であると想定する。マゼンタは、等量の緑と青から形成される。従って、最大交換方式が利用された場合、画素変換論理回路５０４は、緑と青のフィールドから等しく減算され得る最も高い値である５０の値を、画素用のマゼンタサブフィールドに割り当てることになる。これにより、緑と青のサブフィールドが、それに応じて、赤２００、緑１５０、及び青０のＦＩＣＣサブフィールド強度値になるように調整される結果にもなる。次いで、画素変換論理回路５０４は、第２のＦＳＣＣである黄色に基づいて、ＦＩＣＣサブフィールドを調整することに進むはずである。黄色は、等量の赤と緑から形成される。従って、最大交換方式が利用された場合、画素変換論理回路５０４は、赤と緑のサブフィールドから等しく減算され得る最も高い値である１５０の値を、画素用の黄色サブフィールドに割り当てるはずである。次いで、画素変換論理回路５０４は、それに応じて、その画素用の赤と緑のサブフィールド内の値を赤５０及び緑０に低減するはずである。
【０１１６】
[0110]このようにして、画素変換論理回路５０４は、ＦＳＣＣごとにＦＩＣＣサブフィールドを繰り返し調整することができる。幾つかの実装形態では、ＦＩＣＣサブフィールドを繰り返し調整するために１組のＦＳＣＣからＦＳＣＣが選択される順序は、画像フレーム内のＦＳＣＣの相対的な優占度に基づく場合がある。例えば、最も大きい相対的な優占度を有するＦＳＣＣは、ＦＩＣＣサブフィールドを調整するために最初に選択され得、最も小さい相対的な優占度を有するＦＳＣＣは、最後に選択され得る。ＦＳＣＣの相対的な優占度は、Ｌ＊ａ＊ｂ＊空間内の対応する色相角又は対応する色相角範囲の相対的な優占度から決定され得る。例えば、３つのＦＳＣＣが選択された場合、図８のヒストグラム８００を参照すると、選択されたＦＳＣＣの間で、ビン１３によって表される色相範囲に対応するＦＳＣＣは、最も大きい優占度を有するものとして描写され得、ビン９によって表される色相範囲に対応するＦＳＣＣは、最も小さい優占度を有するものとして描写され得る。
【０１１７】
[0111]幾つかの他の実装形態では、ＦＳＣＣサブフィールドに画素強度値を割り振るために、低減サブフレーム交換方式が使用される。そのような実装形態では、サブフィールド導出論理回路５００が組み込まれるコントローラは、ＦＩＣＣ用のサブフレームよりも少ないＦＳＣＣ用のサブフレームを生成するように構成される。即ち、コントローラは、１で始まり、６４又は１２８までの範囲である相対重みを有するビットプレーンの総定数を使用して、ＦＩＣＣを表示する。しかしながら、Ｎ個のＦＳＣＣサブフィールドの場合、コントローラは、制限された数のより高く重み付けされたサブフレームを生成し、表示されるようにするだけである。Ｎ個のＦＳＣＣサブフィールドの各々の中のＦＳＣＣサブフレームは、より多数のさらなるサブフレームを利用せずに、それぞれのＦＳＣＣによって行われるルミナンス交換を最大化するために、より高い重みで生成される。
【０１１８】
[0112]例えば、幾つかの実装形態では、コントローラは、ＦＩＣＣサブフィールドの各々のための４〜８個のサブフレームと、ＦＳＣＣサブフィールドの各々のための２つ又は３つのみのより高い重みのサブフレームとの間で生成するように構成される。幾つかの他の実装形態では、コントローラは、ＦＩＣＣサブフィールドの各々のための４つのより低い重みのサブフレームと、ＦＳＣＣサブフィールドの各々のための３つのみのより高い重みのサブフレームとの間で生成するように構成される。幾つかの実装形態では、ＦＳＣＣサブフレームの重みは、バイナリサブフレーム重み付け方式の最も高い有効性の重みから選択される。色あたり８ビットのグレースケールプロセスの場合、コントローラは、Ｎ個のＦＳＣＣサブフィールドの各々のための３２、６４、及び１２８の重みを有する３つのＦＳＣＣサブフレームを生成するはずである。ＦＩＣＣ用のサブフレームの重みは、バイナリ重み付け方式に従って割り当てられても、割り当てられなくてもよい。例えば、ＦＩＣＣ用のサブフレームの重みは、少なくとも幾つかのグレースケール値の複数の表現を可能にするために、何らかの冗長度を含むように選択される場合がある。そのような冗長性は、動的偽輪郭（「ＤＦＣ」）などの、幾つかの画像アーティファクトを低減する助けになる。このようにして、コントローラは、８ビットＦＩＣＣ値を表示するために、３つ又は４つのサブフレームを利用する場合がある。
【０１１９】
[0113]幾つかの実装形態では、ＦＩＣＣサブフィールドの各々及びＦＳＣＣサブフィールドの各々のために生成されるサブフレームの数は、動的に変更され得る。幾つかのそのような実装形態では、生成されるサブフレームの数は、ＦＳＣＣサブフィールド内のエネルギー及び調整されたＦＩＣＣサブフィールド内のエネルギーの関数であり得る。幾つかの実装形態では、サブフィールド内のエネルギーは、サブフィールド内の画素の強度値を加算することによって決定され得る。幾つかの実装形態では、ＦＳＣＣサブフィールド内のエネルギーの和が調整されたＦＩＣＣサブフィールド内のエネルギーの和よりも大きい場合、ＦＳＣＣサブフィールドを表示するために、より多くのサブフレームが再割振りされ得る。一方、ＦＳＣＣサブフィールド内のエネルギーの和がＦＩＣＣサブフィールド内のエネルギーの和よりも小さい場合、ＦＩＣＣサブフィールドを表示するために、より多くのサブフレームが再割振りされ得る。
【０１２０】
[0114]より少ないＦＳＣＣサブフレームが使用される実装形態では、画素変換論理回路５０４は、ＦＳＣＣサブフレームの総定数を利用する実装形態において行うように、高い細分性を有するＦＳＣＣサブフィールドに強度レベルを割り当てることができない。従って、ＦＳＣＣサブフィールド内の画素用のＦＳＣＣ強度レベルを決定するとき、画素変換論理回路５０４は、ＦＩＣＣ光強度を交換するための使用される可能性がある最大ＦＳＣＣ強度に等しい値を各画素に割り当て、次いで、削減された数のサブフレーム及びそれらの対応する重みが与えられると、生成され得る最も近い強度レベルにその値を切り捨てる。
【０１２１】
[0115]１２８、６４、及び３２のＦＳＣＣサブフレーム重みを使用するコントローラによって処理されている、赤１２５、緑８０、及び青２０のＦＩＣＣ強度を有する画素を考える。この例では、寄与色選択論理回路５０２がＦＳＣＣの１つとして黄色を選択すると想定する。サブフィールド導出論理回路２０６は、赤及び緑についての最大交換値を８０として識別するはずである。次いで、サブフィールド導出論理回路５００は、６４が、画素内に存在するよりも大きい黄色の強度を提供せずに、上記の重み付け方式を使用して表示され得る黄色の最大強度なので、黄色サブフィールド内の画素に６４の強度値を割り当てる。
【０１２２】
[0116]画素が赤２４０、緑１００、及び青２００のＦＩＣＣ値を有する別の例を考える。この場合、ＦＳＣＣの１つとして白が選択されると想定する。３２，６４、及び１２８のＦＳＣＣサブフレーム重みが与えられると、画素変換論理回路５０４は、利用可能なＦＳＣＣサブフレーム重みを使用して生成され得る、ＦＩＣＣの各々によって共有される最も高い共通の強度レベルである、９６のＦＳＣＣ強度値を選択する。従って、画素変換論理回路５０４は、画素用のＦＳＣＣカラーサブフィールド値とＦＩＣＣカラーサブフィールド値とを、赤１５４、緑４、青１５４、及び白９６になるように設定する。
【０１２３】
[0117]ＦＳＣＣ用の低減された数のサブフレームを使用すると、余分なサブフレームを生成するための表示器上の負荷が低減され得るが、それは、同様の全体色を有するが、異なるＦＳＣＣ値を使用して表示される隣接画素を表示するときにＤＦＣを引き起こすリスクをもたらす。例えば、赤９５、緑９５、及び青０、ならびに赤９６、緑９６、及び青０などの色について、９５及び９６のそれぞれの最大交換強度値を有する隣接セルを表示するとき、ＤＦＣが発生する可能性がある。ＦＳＣＣの１つが黄色であると想定すると、最初の画素は、６４のＦＳＣＣ強度と、それぞれ、赤３１、緑３１、及び青０である、赤、青、及び緑の強度とを使用して、表示されるはずである。２番目の画素は、９６のＦＳＣＣ強度と、赤０、緑０、青０である、赤、緑、及び青の強度とを使用して、表示されるはずである。赤及び緑のチャネル内の著しい差分と結合されたＦＳＣＣカラーチャネル内のこの著しい差分は、ＨＶＳによって検出され得、ＤＦＣアーティファクトをもたらす。
【０１２４】
[0118]上述されたＦＳＣＣ及びＦＩＣＣの導出プロセスは、受信された画像内の画像データ内で符号化された画像を忠実に再生することができる。しかしながら、幾つかの実装形態では、コントローラのサブフィールド導出論理回路は、表示されると、入力画像データとは異なる表示された画像を故意にもたらすサブフィールドを生成するように構成される。例えば、幾つかの実装形態では、サブフィールド導出論理回路は、全体的に受信された画像フレーム内で示されたよりも高いルミナンスを有する画像フレームを生成するように構成され得る。
【０１２５】
[0119]１つのそのような実装形態では、ＦＳＣＣサブフィールドが上述された低減サブフレーム交換方式を使用して生成された後、スケーリング係数Ｍが導出され、ＦＳＣＣサブフィールドに基づいてＦＩＣＣサブフィールド内の画素値の各々を調整するときに適用される。画素用のスケーリング係数は、飽和パラメータ、最小画素ルミナンス値Ｙmin、及び最大画素ルミナンス値Ｙmaxの関数として計算され得る。飽和パラメータは、ＦＳＣＣサブフィールドの各々を生成する際に使用されるサブフレーム低減の程度から導出され得る。
【０１２６】
[0120]次いで、スケーリング係数Ｍを使用して元のＦＩＣＣ画素値ＲとＧとＢとをスケーリングし、ＦＳＣＣチャネルサブフィールドの各々の中の各ＦＩＣＣの強度を減算することによって、画素用の新しい画素強度値Ｒ’、Ｇ’、及びＢ’が計算される。次に、これらの強度値は、画素用のＦＳＣＣ強度値ｘnと、ＦＳＣＣ内の各ＦＩＣＣの相対強度値、即ち、ｘnR、ｘnG、及びｘnBとの積に等しい。即ち、
【０１２７】
【数１２】
2017501443.tif 000014
【０１２８】
である。
【０１２９】
[0121]幾つかの実装形態では、ＦＳＣＣサブフレーム用のより高く重み付けされたサブフレームのみを使用することから潜在的に発生するＤＦＣを軽減する助けになるために、画素変換論理回路５０４は、ＦＩＣＣサブフィールドを更新する前に、ＦＳＣＣサブフィールドに空間ディザリングアルゴリズムを適用することによって、ＦＳＣＣサブフィールドを修正する。空間ディザリングは、低減された数のより高く重み付けされたサブフレームを使用することに関連する任意の量子化誤差を分散させる。誤差拡散アルゴリズム（又はその変形形態）を含む、様々な空間ディザリングアルゴリズムは、ディザリングを行うために使用され得る。幾つかの他の実装形態では、代わりに、ブロック量子化及び順序付けられたディザリングのアルゴリズムが利用される場合がある。更に他の実装形態では、一体型ディザー、ベクトル誤差拡散、又はベクトルディザリングのアルゴリズムが利用される場合がある。次いで、ディザリングされたＦＳＣＣサブフィールドに基づいて、ＦＩＣＣサブフィールド内の画素の強度値がそれに応じて計算される。
【０１３０】
[0122]図５に示されたサブフィールド導出論理回路５００と同様なサブフィールド導出論理回路の幾つかの実装形態は、ＣＡＢＣ論理回路も組み込む。そのような実装形態では、ＦＳＣＣサブフィールド及びＦＩＣＣサブフィールドが導出された後、ＣＡＢＣ論理回路は、サブフィールドのうちの１つ又は複数の中の強度値を正規化し、その結果、各正規化されたサブフィールド内の最大強度値は、表示器によって出力される最大強度値にスケーリングされる。例えば、２５６個のグレースケールレベルを出力することが可能な表示器では、その中の最大強度値が２５５に等しいようにスケーリングされる。次いで、サブフィールド導出論理回路５００は、対応するＬＥＤの照度レベルがそれに応じて調整されるように、それが組み込まれる装置の出力制御論理回路に対応する正規化係数を出力する。ＣＡＢＣ論理回路を組み込むサブフィールド導出論理回路の一例が図９に示される。
【０１３１】
[0123]図９は、第２の例示的なサブフィールド導出論理回路１０００のブロック図を示す。サブフィールド導出論理回路１０００は、寄与色選択論理回路１００２と、サブフィールドストア１００３と、画素変換論理回路１００４と、ＣＡＢＣ論理回路１００６と、電力管理論理回路１００８とを含む。一緒に、サブフィールド導出論理回路１０００の構成要素は、図１０に示されるプロセスなどの、画像を形成するプロセスを遂行するように機能する。構成要素の各々の機能は、図１１の説明に関して下記に記載される。
【０１３２】
[0124]図１０は、画像を形成する別の例示的なプロセス１１００の流れ図を示す。画像形成プロセス１１００は、さらなる電力管理技法とともにＣＡＢＣ手法を利用する。電力管理機能は、各オプションに関連付けられた相対電力消費に応じて、フレームごとに、１組のＦＳＣＣを使用して画像を形成するべきか、又はＦＩＣＣのみを使用するべきかを決定する。プロセス１１００は、画像フレームを受信すること（段階１１０２）と、受信された画像フレームに基づいて１組のＦＳＣＣサブフィールドを導出すること（段階１１０４）と、ＦＳＣＣサブフィールドに基づいて修正されたＦＩＣＣサブフィールドを導出すること（段階１１０５）と、ＣＡＢＣを適用すること（段階１１０６）と、ＦＩＣＣのみを使用して画像を提示すること、ＦＩＣＣとＦＳＣＣの組合せを使用して画像を提示することに関連する電力消費を計算すること（段階１１０８）とを含む。プロセス１１００は、２つのオプションの相対電力消費に基づいて、画像を生成するために１組のＦＳＣＣを使用することが正当化されるかどうかを決定すること（段階１１１０）を更に含む。ＦＳＣＣの使用が正当化された場合、プロセスは、１組のＦＳＣＣを使用して画像を形成すること（段階１１１２）に進む。そうでない場合、プロセスは、ＦＩＣＣのみを使用して画像を形成すること（段階１１１４）に進む。
【０１３３】
[0125]図９と図１０とを参照すると、プロセス１１００は、画像フレームの受信（段階１１０２）から始まる。サブフィールド導出論理回路１０００は、サブフィールド導出論理回路１０００が組み込まれる装置の入力から画像フレームを受信する。幾つかの実装形態では、受信された画像フレームは、サブフィールド導出論理回路１０００においてその受信の前に前処理される。他の実装形態では、サブフィールド導出論理回路は、画像フレームを前処理するためにさらなる前処理論理回路ブロックを含む。例えば、前処理論理回路は、受信された画像フレームにスケーリング又はガンマ補正アルゴリズムを適用して、それが組み込まれる表示器の特定の仕様にそれを適合させることができる。次いで、画像フレームは、寄与色選択論理回路１００２及びサブフィールドストア１００３に渡される。サブフィールドストア１００３は、入力データから形成された１組のＦＩＣＣカラーサブフィールドとして画像フレームを記憶する。幾つかの実装形態では、サブフィールドストア１００３は、図３に示された装置３００のフレームバッファ３０７などの、サブフィールド導出論理回路１０００が組み込まれる装置の他の構成要素の間で共有されるフレームバッファの一部である。幾つかの他の実装形態では、サブフィールドストア１００３は、個別のメモリデバイス又は共有メモリデバイスの個別パーティションである。
【０１３４】
[0126]寄与色選択論理回路１００２は、図５に示された寄与色選択論理回路５０２と実質的に同じ機能を遂行する。寄与色選択論理回路１００２は、それぞれ、一緒に受信された画像フレームを分析し、画像の提示に使用するために１組のＦＳＣＣを選択する、フレーム分析器１０１０と選択論理回路１０１２とを含む。寄与色選択論理回路１００２は、現在の画像フレーム又は次の画像フレームのいずれかの、上述されたＦＳＣＣ選択技法を実施することができる。
【０１３５】
[0127]１組のＦＳＣＣが選択された後、画素変換論理回路１００４は、ＦＳＣＣサブフィールドを導出する（段階１１０４）ために、選択されたＦＳＣＣを使用して画像フレームを処理する。画素変換論理回路１００４は、限定はしないが、最大交換技法、割合交換技法、又は（ディザリングあり、若しくはディザリングなしの）低減サブフレーム交換技法を含む、上述されたＦＳＣＣサブフィールド生成技法のいずれかを使用して、ＦＳＣＣサブフィールドを導出することができる。次いで、画素変換論理回路１００４は、ＦＳＣＣサブフィールドに基づいて修正されたＦＩＣＣサブフィールドを導出する（段階１１０５）。画素変換論理回路１００４は、元のＦＩＣＣサブフィールドを修正する代わりに新しいＦＩＣＣサブフィールドを導出し、その結果、下記で更に記載されるように、１組のＦＳＣＣがある場合とない場合の、画像フレームを表示することに関連する電力消費が比較され得る。
【０１３６】
[0128]新しいＦＩＣＣサブフィールドが導出される（段階１１０５）と、ＣＡＢＣ論理回路１００８は、ＦＳＣＣサブフィールド及び新しいＦＩＣＣサブフィールド、及び上述された元のＦＩＣＣサブフィールドを処理する（段階１１０６）。ＦＳＣＣサブフィールドと新しいＦＩＣＣサブフィールドとを処理することは、それぞれのサブフィールドを正規化することを含む。ＣＡＢＣ論理回路１００６は、１つ又は複数のサブフィールドの強度値を正規化し、その結果、各サブフィールド内の最大強度値は、表示器によって出力される最大強度値にスケーリングされる。スケーリング係数は、対応するＬＥＤの照明レベルを調整するために、出力制御論理回路に通信される。次いで、正規化されたサブフィールドは、サブフィールドストア１００３に保存される場合がある。幾つかの実装形態では、ＣＡＢＣ論理回路１００８は、導出されたサブフィールドを処理する前に、元のＦＩＣＣサブフィールドを処理する。例えば、ＣＡＢＣ論理回路１００８は、サブフィールド導出論理回路１０００の他の構成要素が１組のＦＳＣＣを選択し、ＦＳＣＣサブフィールドを導出している間に、元のＦＩＣＣサブフィールドを処理し得る。
【０１３７】
[0129]電力管理論理回路１０１０は、選択された１組のＦＳＣＣを使用して画像を表示するべきか、又はＦＩＣＣのみを使用するべきかを決定するように構成される。そうすることは２つの段階を含む。最初に、電力管理論理回路１０１０は、もし仮に、画像フレームがＦＳＣＣサブフィールドの有無にかかわらず提示された場合、消費されることになる電力を決定するために、ＣＡＢＣ処理されたサブフィールドを処理する（段階１１０８）。次いで、電力管理論理回路１０１０は、それぞれの電力消費を比較し、比較に基づいて、１組のＦＳＣＣの使用が正当化されるか否かを決定する（段階１１１０）。
【０１３８】
[0130]この簡単なケースでは、電力管理論理回路１０１０は、そうすることが電力を節約する場合、画像フレームを生成するために１組のＦＳＣＣを使用することを決定する。しかしながら、ＦＳＣＣの使用は、場合によってはさらなる電力を潜在的に必要とするが、色破壊（ＣＢＵ）などの幾つかの画像アーティファクトを低減する助けになることもできる。従って、幾つかの実装形態では、電力管理論理回路１０１０は、そうすることがＦＩＣＣのみを使用して消費されるはずの電力よりも多いある程度の電力を消費する場合でも、１組のＦＳＣＣを使用することを決定する。この決定は、以下のように一般化され得る。
【０１３９】
【数１３】
2017501443.tif 000015
【０１４０】
但し、ＲＧＢｘは１組のＦＳＣＣを使用して画像フレームを表示することを指し、ＲＧＢはＦＩＣＣのみを使用して画像フレームを表示することを指し、β≦１，ＰRGBは、もし仮に、画像フレームがＦＩＣＣのみを使用して表示された場合に消費されたはずの電力であり、ＰRGBxは、もし仮に、画像フレームが１組のＦＳＣＣを使用して表示された場合に消費されたはずの電力である。
【０１４１】
[0131]支配的なＦＳＣＣが白であり、表示器が白色光を生成する白色ＬＥＤを含むとき、節電が実現される可能性が高い。これは、飽和色を生成するＬＥＤと比較して、白色ＬＥＤの実質的な高効率の結果である。しかしながら、白以外のＦＳＣＣの使用は、１つ又は複数のＦＩＣＣに関連付けられた強度の一部をＦＳＣＣサブフィールドにシフトする能力に起因して、電力の利点を依然提供することができ、ＣＡＢＣの使用を介して、表示器が実質的に低い強度でそれらのＦＩＣＣを照明することを可能にする。
【０１４２】
[0132]一般的に言えば、画像を表示する際に消費される電力（ＰRGBx又はＰRGBのいずれか）は、２つの主成分、アドレス指定電力消費（Ｐa）及び照明関連電力消費（Ｐi）に分類され得、通常、後者は前者をしのいでいる。  
ＦＩＣＣの赤、緑、及び青のみを使用する画像フレームの表示からもたらされるＰi、即ち、ＰiRGBは以下のように計算され得る。
【０１４３】
【数１４】
2017501443.tif 000016
【０１４４】
但し、ＰiRは１組の赤のサブフレームを照明する際に消費される電力に対応し、ＰiGは１組の緑のサブフレームを照明する際に消費される電力に対応し、ＰiBは１組の青のサブフレームを照明する際に消費される電力に対応する。
【０１４５】
[0133]ＦＳＣＣのみを使用する画像フレームの表示からもたらされるＰi、即ち、（ＰiRGBx、但し、ｘは１組のＦＳＣＣを表す）は、以下のように計算され得る。
【０１４６】
【数１５】
2017501443.tif 000017
【０１４７】
但し、Ｐixは１組のＦＳＣＣを照明する際に消費される電力に対応する。
【０１４８】
[0134]色に消費される電力は、色を生成するために使用されるＬＥＤの電力カーブ、ＬＥＤの強度、及びサブフィールドを照明するために使用されるサブフレームにわたる色の照明の合計持続時間の関数である。ＬＥＤの強度は、利用されているグレースケールプロセス、ＣＡＢＣプロセスの間に決定された色についての正規化係数、及び、ＦＳＣＣ又は任意の他の合成色の場合、合成色を形成する際に使用される各色の相対強度の関数である。上記のパラメータ化を使用して、電力管理論理回路１０１０は、ＦＳＣＣの使用がある場合とない場合の両方で画像を表示することに関連する、仮定的（即ち理論的）な電力消費を計算することができる。
【０１４９】
[0135]上述された電力計算に基づいて、電力管理論理回路１０１０が、１組のＦＳＣＣの使用を正当化されたと見なす（段階１１１０）、即ち、βＰRGBx＜ＰRGBである場合、電力管理論理回路１０１０が組み込まれるコントローラは、１組のＦＳＣＣを使用して画像を形成すること（段階１１１２）に進む。そうでない場合、コントローラは、ＣＡＢＣ補正された元のＦＩＣＣサブフィールドのみを使用することに進む。
【０１５０】
[0136]再び図５と図６とを参照すると、上述されたように、幾つかの実装形態では、コントローラのサブフィールド導出論理回路５００は、「遅延ＦＳＣＣ」と呼ばれる、前の画像フレーム内のデータに基づいて選択された１組のＦＳＣＣを使用して、ＦＳＣＣサブフィールドを生成するように構成される。そうすることは、カラーサブフィールド導出（段階４０６）が、次の画像フレーム用の１組のＦＳＣＣの選択（段階６０５）と並列に遂行されることを可能にするので、有利であり得る。そうすることはまた、ＦＩＣＣサブフィールドが１組のＦＳＣＣを決定するために処理されている間に、メモリがＦＩＣＣサブフィールドを記憶する必要性を取り除く。しかしながら、画像フレームの色合成は、しばしばシーン変化の間に発生するように、前の画像フレームの色合成とは実質的に異なるので、遅延ＦＳＣＣの使用は、現在の画像フレームについての画像品質の低下と、その後のフレームについてＦＳＣＣが変化するときの顕著なちらつきとをもたらす可能性がある。
【０１５１】
[0137]しかし、遅延ＦＳＣＣを使用することの潜在的な欠点は、ＦＳＣＣ平滑化プロセスの使用を介して軽減され得る。平滑化プロセスは、それぞれ、図５及び図１０に示された選択論理回路５１０及び１０１０に組み込まれ得る。一般に、色平滑化プロセスは、１組のＦＳＣＣがフレームごとに変換することを許可される程度を制限する。
【０１５２】
[0138]図１１は、例示的なＦＳＣＣ色平滑化プロセス１２００の流れ図を示す。ＦＳＣＣ色平滑化プロセス１２００は、それぞれ、図５及び図１０に示された選択論理回路５１０又は１０１０によって実行される場合がある。プロセス１２００は、（ＦＳＣＣoldと表記される１つ又は複数のＦＳＣＣを含む）前の１組のＦＳＣＣを取得すること（段階１２０２）と、（ＦＳＣＣtargetと表記される１つ又は複数のＦＳＣＣを含む）新しい対象の１組のＦＳＣＣを取得すること（段階１２０４）と、ΔＦＳＣＣを取得するために、前の１組のＦＳＣＣに属するＦＳＣＣの各々と対象の１組のＦＳＣＣに属する対応するＦＳＣＣとの間の差分を計算すること（段階１２０６）と、各ΔＦＳＣＣを色変化閾値と比較すること（段階１２０８）とを行う選択論理回路を含む。ΔＦＳＣＣが色変化閾値を下回る場合、選択論理回路は、次のＦＳＣＣであるＦＳＣＣnextをＦＳＣＣtargetに設定する（段階１２１０）。そうでない場合、選択論理回路は、ＦＳＣＣnextをＦＳＣＣoldとＦＳＣＣtargetとの間の中間ＦＳＣＣに設定する（段階１２１２）。いずれの場合も、次いで、ＦＳＣＣoldを使用して現在の画像フレームが生成される。
【０１５３】
[0139]上述されたように、色平滑化プロセス１２００は、前の１組のＦＳＣＣを取得する選択論理回路から始まる。前の１組のＦＳＣＣは、ＦＳＣＣoldと表記される１つ又は複数のＦＳＣＣの値を含むことができる。例えば、ＦＳＣＣoldは、プロセス１２００を実行するコントローラ内のメモリに記憶される場合がある。次に、選択論理回路は新しい対象の１組のＦＳＣＣを取得する。新しい対象の１組のＦＳＣＣは、ＦＳＣＣtargetと表記される１つ又は複数のＦＳＣＣの値を含むことができる（段階１２０４）。ＦＳＣＣtargetは、いかなる色平滑化もプロセス１２００によって実施されない場合に、次の画像フレームを生成するために使用されるはずのＦＳＣＣである。選択論理回路は、上述されたＦＳＣＣ選択プロセスのいずれかに従って、ＦＳＣＣtargetを選択することができる。
【０１５４】
[0140]ＦＳＣＣold及びＦＳＣＣtargetが取得されると、選択論理回路はΔＦＳＣＣを計算する（段階１２０６）。幾つかの実装形態では、前の１組のＦＳＣＣに属するＦＳＣＣoldは、新しい対象の１組のＦＳＣＣに属する、ＸＹＺ色空間におけるユークリッド距離又は色相色空間における色相角度差として測定される、最も近いＦＳＣＣtargetと比較される。幾つかの実装形態では、ΔＦＳＣＣは、それぞれのＦＳＣＣoldとＦＳＣＣtargetのペアを生成するために使用されるＦＩＣＣ成分ごとに計算される。即ち、選択論理回路は、ＦＳＣＣoldとＦＳＣＣtargetのペアの、それぞれ、赤成分、青成分、及び緑成分内の差分に等しい、ΔＦＳＣＣRedと、ΔＦＳＣＣGreenと、ΔＦＳＣＣBlueとを計算する。
【０１５５】
[0141]次いで、ＦＳＣＣnextの各ＦＩＣＣ成分が個別に決定される。色成分内の強度変化が対応する色変化閾値を下回る場合、ＦＳＣＣnext内のその色成分は、その色成分の対象強度に直接設定される（段階１２０８）。そうでない場合、ＦＳＣＣnext内のその色成分は、ＦＳＣＣold内の成分の値とＦＳＣＣtarget内の成分の値との間の中間値に設定される（段階１２１０）。それは以下のように計算される。  
【０１５６】
【数１６】
2017501443.tif 000018
【０１５７】
但し、ｉはＦＩＣＣ色成分であり、ｐｅｒｃｅｎｔ＿ｓｈｉｆｔ（ｉ）は、成分色がフレームからフレームにシフトすることが許可される程度を定義する、誤差パラメータである。幾つかの実装形態では、ｐｅｒｃｅｎｔ＿ｓｈｉｆｔ（ｉ）は、成分色ごとに個別に設定される。幾つかの実装形態では、その値は約１％から約５％の範囲であるが、他の実装形態では、それは、約１０％の高さか、又は、１つ若しくは複数の成分色についてそれより高い場合がある。幾つかの実装形態では、選択論理回路はまた、色成分ごとに個別の色変化閾値を適用する。他の実装形態では、色変化閾値は全ての成分色について一定である。成分色の強度が０から２５５の範囲である、色あたり８ビットのグレースケール方式を想定すると、適切な閾値は約３から約２５の範囲である。
【０１５８】
[0142]幾つかの実装形態では、選択論理回路は、１つ又は複数の成分色に、複数の色変化閾値と、対応するｐｅｒｃｅｎｔ＿ｓｈｉｆｔ（ｉ）パラメータとを適用する。例えば、一実装形態では、ΔＦＳＣＣ（ｉ）が上限閾値を上回る場合、より低いｐｅｒｃｅｎｔ＿ｓｈｉｆｔ（ｉ）パラメータが適用される。ΔＦＳＣＣ（ｉ）が上限閾値と下限閾値との間に入る場合、第２のより高いｐｅｒｃｅｎｔ＿ｓｈｉｆｔ（ｉ）パラメータが適用される。幾つかの実装形態では、より低いｐｅｒｃｅｎｔ＿ｓｈｉｆｔ（ｉ）パラメータは、約１０％以下であり、第２のより高いｐｅｒｃｅｎｔ＿ｓｈｉｆｔ（ｉ）パラメータは、約１０％と約５０％との間である。
【０１５９】
[0143]幾つかの他の実装形態では、ΔＦＳＣＣは、ＦＳＣＣold及びＦＳＣＣtargetのｘ座標とｙ座標とを使用して、ＣＩＥ色空間内のＦＳＣＣについて総合的に計算される。そのような実装形態では、ΔＦＳＣＣは、ＣＩＥダイアグラム上のＦＳＣＣ間のユークリッド距離である。距離が色変化閾値を上回る場合、ＦＳＣＣnextは、ＣＩＥダイアグラム内でＦＳＣＣoldとＦＳＣＣtargetとを接続する線に沿った道の割合（ｐｅｒｃｅｎｔ＿ｓｈｉｆｔ＿ＣＩＥ）の点に対応する色に設定される。ＦＳＣＣの三刺激値を使用して、同様の距離が計算され得る。
【０１６０】
[0144]上記のプロセスは、１つ又は複数のＦＳＣＣnextを含む１組の次のＦＳＣＣを生成するために、それぞれ、前の１組のＦＳＣＣ及び新しい対象の１対のＦＳＣＣに属する、ＦＳＣＣoldとＦＳＣＣtargetのペアごとに繰り返される。選択論理回路が全てのＦＳＣＣnextを決定した後、ＦＳＣＣoldを使用して現在の画像フレームが表示され、ＦＳＣＣnextは、次の画像フレーム内で使用する新しいＦＳＣＣoldとして記憶される。
【０１６１】
[0145]再び図１Ｂと図３とを参照すると、表示装置１２８は、赤、緑、青、及び白のＬＥＤのみを含む。しかしながら、上述されたように、上記で開示されたＦＳＣＣ選択プロセスの幾つかは、コントローラ３００などのコントローラ１３４がＦＳＣＣとして広範囲の色を選択することを可能にする。ＦＳＣＣが白色ＬＥＤによって提供される厳密な白になるように選択されないと想定すると、表示装置１２８は、ＦＳＣＣを生成するためにＬＥＤのうちの２つ以上を照明する。コントローラ３００の出力制御論理回路３０８は、ＦＳＣＣを形成するためにＬＥＤの照度の適切な組合せを計算するように構成される。理論上、表示装置が赤、緑、青、及び白のＬＥＤを含むとすると、ＦＳＣＣを生成するはずの無限の数の照度の組合せが存在する。従って、同じＦＳＣＣを生成するために、様々な時間に様々な色の組合せが利用される場合がある。幾つかの実装形態では、様々な時間に様々な色の組合せを使用して同じＦＳＣＣを生成することから生じる可能性がある画像アーティファクトを回避するために、出力制御論理回路３０８は、（１つの解決策などの）限られた数の可能な解決策のみを有するアルゴリズムを使用して、１組のＬＥＤ照度を選択するように構成される。
【０１６２】
[0146]図１２は、ＦＳＣＣを生成するためにＬＥＤ強度を計算するプロセス１３００の流れ図を示す。プロセス１３００は、ＦＳＣＣを選択すること（段階１３０２）と、ＦＳＣＣの生成から除外するために白ではないＬＥＤを識別すること（段階１３０４）と、選択されたＦＳＣＣに基づいてＬＥＤのサブセット用のＬＥＤ強度を計算すること（段階１３０６）とを含む。
【０１６３】
[0147]図３と図１２とを参照すると、上述されたように、プロセス１３００は、ＦＳＣＣの選択（段階１３０２）から始まる。ＦＳＣＣは、上述されたＦＳＣＣ選択プロセスのいずれかを使用して、コントローラ３００のサブフィールド生成論理回路３０４によって選択され得る。
【０１６４】
[0148]次いで、コントローラ３００の出力制御論理回路３０８は、ＦＳＣＣの生成から除外するために白ではないＬＥＤを識別する（段階１３０４）。表示装置が白色ＬＥＤを含み、そのようなＬＥＤがカラーＬＥＤよりも効率的であるとすると、表示器の電力消費を低減するために、白色ＬＥＤによって提供される画像内に可能な限り多くのルミナンスを有することは有益である。加えて、いかなる合成色も、白と、赤、青、及び緑のうちの２つとの組合せから形成され得る。
【０１６５】
[0149]図１３は、ＬＥＤ選択のためにセグメント化されたＣＩＥ色空間における表示の色域を示す。概念的に、どの白ではないＬＥＤが除外されるべきかについての決定は、ＬＥＤ除外領域にセグメント化された色域に関して記載され得る。各除外領域は、１組のＦＳＣＣとして選ばれた場合、対応する除外ＬＥＤを使用せずに生成される、１組の色を含む。一実装形態では、セグメント間の境界は、（白色ＬＥＤを除外する）ＬＥＤのＣＩＥ色空間内のｘ、ｙ座標を、色域の白点に接続する線として設定され得る。従って、各領域は、２つのＬＥＤ色座標及び白点の色座標によって画定される頂点を有する三角形内の１組の色を含む。領域に関連付けられた除外ＬＥＤは、その色座標が領域の頂点の１つとして働かないＬＥＤである。
【０１６６】
[0150]除外ＬＥＤが識別されると、２つの残りのＬＥＤ及び白色ＬＥＤの相対強度は、式
【０１６７】
【数１７】
2017501443.tif 000019
【０１６８】
を解くことによって計算され得、
但し、ＸFSCC、ＹFSCC、及びＺFSCCはＦＳＣＣの三刺激値であり、ＸLED1、ＹLED1、及びＺLED1は、ＦＳＣＣを形成するために使用される第１のＬＥＤの三刺激値に対応し、ＸLED2、ＹLED2、及びＺLED2は、ＦＳＣＣを形成するために使用される第２のＬＥＤの三刺激値に対応し、ＸLEDW、ＹLEDW、及びＺLEDWは、ＦＳＣＣを形成するために使用される白色ＬＥＤの三刺激値に対応し、Ｉ1、Ｉ2、及びＩWは、ＦＳＣＣを生成するために第１のＬＥＤ、第２のＬＥＤ、及び白色ＬＥＤが照明されるべき強度に対応する。
【０１６９】
[0151]図１４は、表示器上に画像を生成するための例示的なプロセス１５００の流れ図を示す。詳細には、図１４に示されたプロセス１５００は、第１の画像フレームを示すデータを受信すること（段階１５０２）と、画像フレーム内の少なくとも１つの支配的な色相に関連付けられた少なくとも１つの色相角を識別するために、色相ベースの色空間において少なくとも部分的に受信データを処理すること（段階１５０４）と、少なくとも１つの色相角に基づいて少なくとも１つのフレーム固有寄与色（ＦＳＣＣ）を選択すること（段階１５０６）と、１組のフレーム独立寄与色（ＦＩＣＣ）を決定すること（段階１５０８）と、ＦＩＣＣと少なくとも１つのＦＳＣＣとを使用して第２の画像フレームを表示すること（段階１５１０）とを含み、但し、第２の画像フレームは、第１の画像フレーム及び第１の画像フレームに続く画像フレームのうちの１つである。
【０１７０】
[0152]プロセス１５００は、第１の画像フレームを示すデータを受信すること（段階１５０２）を含む。このプロセス段階の例は、図３、図５、及び図９に関して上記で説明されている。具体的には、図３に示されたように、入力論理回路３０２は、外部ソースから画像データを受信することをできるデータポートを含むことができる。次いで、入力論理回路３０２は、さらなる処理のために、受信された画像データをサブフィールド導出論理回路３０４に渡す。更に、図５は、第１の画像フレームに関するデータを受信するサブフィールド導出論理回路５００の一例を示す。同様に、図９は、第１の画像フレームに関するデータを受信するサブフィールド導出論理回路１０００の別の例を示す。
【０１７１】
[0153]プロセス１５００はまた、画像フレーム内の少なくとも１つの支配的な色相に関連付けられた少なくとも１つの色相角を識別するために、色相ベースの色空間において少なくとも部分的に受信データを処理すること（段階１５０４）を含む。このプロセス段階の一例は、図５及び図８に関して上記で説明されている。具体的には、図５は、第１の画像フレームを分析するための寄与色選択論理回路５０２を示す。寄与色選択論理回路５０２は、図８に示されたヒストグラムにより、画像フレーム内の色相角の分布を生成するために、第１の画像データを処理する。色相角の分布は、画像フレーム内の支配的な色相を決定するために使用される。例えば、図８に示されたように、寄与色選択論理回路５０２は、画像フレーム内の最も支配的な色相に関連付けられた色相角を表すものとして、ビン１３に属する色相角を選択する。
【０１７２】
[0154]プロセス１５００は更に、少なくとも１つの色相角に基づいて少なくとも１つのフレーム固有寄与色（ＦＳＣＣ）を選択すること（段階１５０６）を含む。このプロセス段階の一例は、図５及び図７に関して上記で説明されている。具体的には、図５は、第１の画像フレームを分析するための寄与色選択論理回路５０２を示す。更に、図７に示されたプロセス７００の段階７０８及び段階７１０は、色相ベースの色空間からＲＧＢ色空間にＮ個の支配的な色相を変換することと、ＦＳＣＣの１つとして変換されたＲＧＢ値を使用することとを示す。
【０１７３】
[0155]プロセス１５００はまた、１組のフレーム独立寄与色（ＦＩＣＣ）を決定すること（段階１５０８）を含む。このプロセス段階の一例は、図３及び図４に関して上記で説明されている。具体的には、図３は、入力論理回路３０２から受信された画像フレームを処理するためのサブフィールド導出論理回路３０４を含むコントローラを示す。更に、コントローラ３００によって実行され得る、図４に示されたプロセスの段階４０６は、フレームに依存しないカラーサブフィールドの導出を示す。
【０１７４】
[0156]プロセス１５００はまた、ＦＩＣＣと少なくとも１つのＦＳＣＣとを使用して第２の画像フレームを表示すること（段階１５１０）を含み、但し、第２の画像フレームは、第１の画像フレーム及び第１の画像フレームに続く画像フレームのうちの１つである。このプロセス段階の一例は、図５及び図６に関して上記で説明されている。例えば、図５は、画像フレーム内で表示されるべき１組のＦＳＣＣならびにＦＩＣＣを識別する、画素変換論理回路５０４を示す。更に、図６に示されたプロセス６００の段階６０５及び段階６０８は、ＦＩＣＣが表示用にＦＳＣＣに基づいて調整されることと、ＦＳＣＣが次の画像フレーム内の表示用に選択されることとを示す。
【０１７５】
[0157]図１５Ａ及び図１５Ｂは、複数の表示素子を含む例示的な表示装置４０のシステムブロック図を示す。表示装置４０は、例えば、スマートフォン、携帯電話、又はモバイル電話であり得る。しかしながら、表示装置４０の同じ構成要素又はそのわずかな変形形態は、テレビジョン、コンピュータ、タブレット、電子リーダ、ハンドヘルド機器、及びポータブルメディア機器などの、様々なタイプの表示装置も示す。
【０１７６】
[0158]表示装置４０は、ハウジング４１と、表示器３０と、アンテナ４３と、スピーカ４５と、入力機器４８と、マイクロフォン４６とを含む。ハウジング４１は、射出成形と真空成形とを含む、様々な製造プロセスのうちのいずれかから形成され得る。加えて、ハウジング４１は、限定はしないが、プラスチック、金属、ガラス、ゴム、及びセラミック、又はそれらの組合せを含む、様々な材料のうちのいずれかから作成される場合がある。ハウジング４１は、異なる色の、又は異なるロゴ、写真、若しくはシンボルを含む、他の取外し可能な部分と交換され得る、取外し可能な部分（図示せず）を含むことができる。
【０１７７】
[0159]表示器３０は、本明細書に記載されたように、双安定表示器又はアナログ表示器を含む、様々な表示器のうちのいずれかであり得る。表示器３０はまた、プラズマ、エレクトロルミネセント（ＥＬ）表示器、ＯＬＥＤ、超ねじれネマチック（ＳＴＮ）表示器、ＬＣＤ、又は薄膜トランジスタ（ＴＦＴ）ＬＣＤなどのフラットパネル表示器、若しくは陰極線管（ＣＲＴ）又は他のチューブ機器などの非フラットパネル表示器を含むように構成され得る。加えて、表示器３０は、本明細書に記載されたように、機械的光変調器ベースの表示器を含むことができる。
【０１７８】
[0160]表示装置４０の構成要素が、図１５Ａに概略的に示される。表示装置４０は、ハウジング４１を含み、少なくとも部分的にその中に封入されたさらなる構成要素を含むことができる。例えば、表示装置４０は、トランシーバ４７に結合され得るアンテナ４３を含む、ネットワークインターフェース２７を含む。ネットワークインターフェース２７は、表示装置４０に表示される可能性がある画像データのためのソースであり得る。従って、ネットワークインターフェース２７は画像ソースモジュールの一例であるが、プロセッサ２１及び入力機器４８も画像ソースモジュールとして働くことができる。トランシーバ４７はプロセッサ２１に接続され、プロセッサ２１は調整ハードウェア５２に接続される。調整ハードウェア５２は、（信号をフィルタ処理するか、又は場合によっては操作するなど）信号を調整するように構成される場合がある。調整ハードウェア５２は、スピーカ４５及びマイクロフォン４６に接続され得る。プロセッサ２１はまた、入力機器４８及びドライバコントローラ２９に接続され得る。ドライバコントローラ２９は、フレームバッファ２８及びアレイドライバ２２に結合され得、アレイドライバ２２は、表示アレイ３０に結合され得る。図１５Ａ及び図１５Ｂに具体的に描写されていない要素を含む、表示装置４０内の１つ又は複数の要素は、メモリデバイスとして機能するように構成され得、プロセッサ２１と通信するように構成され得る。幾つかの実装形態では、電源５０は、特定の表示装置４０の設計では、実質的に全ての構成要素に電力を供給することができる。
【０１７９】
[0161]ネットワークインターフェース２７は、表示装置４０がネットワークを介して１つ又は複数の機器と通信することができるように、アンテナ４３と、トランシーバ４７とを含む。ネットワークインターフェース２７はまた、例えば、プロセッサ２１のデータ処理要件を緩和するために、何らかの処理能力を有する場合がある。アンテナ４３は、信号を送信及び受信することができる。幾つかの実装形態では、アンテナ４３は、ＩＥＥＥ１６．１１（ａ）、（ｂ）、若しくは（ｇ）を含むＩＥＥＥ１６．１１規格、又はＩＥＥＥ８０２．１１ａ、ｂ、ｇ、ｎ、ａｃ、及びそれらのさらなる実装形態を含むＩＥＥＥ８０２．１１規格に従って、ＲＦ信号を送信及び受信する。幾つかの他の実装形態では、アンテナ４３は、Ｂｌｕｅｔｏｏｔｈ規格に従ってＲＦ信号を送信及び受信する。携帯電話の場合、アンテナ４３は、３Ｇ、４Ｇ、又は５Ｇの技術を利用するシステムなどの、ワイヤレスネットワーク内で通信するために使用される、符号分割多元接続（ＣＤＭＡ）、周波数分割多元接続（ＦＤＭＡ）、時分割多元接続（ＴＤＭＡ）、モバイル通信用グローバルシステム（ＧＳＭ（登録商標））、ＧＳＭ／汎用パケット無線サービス（ＧＰＲＳ）、拡張データＧＳＭ環境（ＥＤＧＥ）、地上基盤無線（ＴＥＴＲＡ）、広帯域ＣＤＭＡ（Ｗ−ＣＤＭＡ（登録商標））、エボリューションデータオプティマイズド（ＥＶ−ＤＯ）、１ｘＥＶ−ＤＯ、ＥＶ−ＤＯ  ＲｅｖＡ、ＥＶ−ＤＯ  ＲｅｖＢ、高速パケットアクセス（ＨＳＰＡ）、高速ダウンリンクパケットアクセス（ＨＳＤＰＡ）、高速アップリンクパケットアクセス（ＨＳＵＰＡ）、発展型高速パケットアクセス（ＨＳＰＡ＋）、ロングタームエボリューション（ＬＴＥ（登録商標））、ＡＭＰＳ、又は他の知られている信号を受信するように設計され得る。トランシーバ４７は、アンテナ４３から受信された信号がプロセッサ２１によって受信され、更に操作され得るように、それらの信号を前処理することができる。トランシーバ４７は、プロセッサ２１から受信された信号がアンテナ４３を介して表示装置４０から送信され得るように、それらの信号を処理することもできる。
【０１８０】
[0162]幾つかの実装形態では、トランシーバ４７は、受信機によって置き換えられ得る。更に、幾つかの実装形態では、ネットワークインターフェース２７は、プロセッサ２１に送られるべき画像データを記憶又は生成することができる、画像ソースよって置き換えられ得る。プロセッサ２１は、表示装置４０の全体的な動作を制御することができる。プロセッサ２１は、ネットワークインターフェース２７又は画像ソースから圧縮された画像データなどのデータを受信し、そのデータを生画像データに、又は生画像データに容易に処理され得るフォーマットに、処理する。プロセッサ２１は、処理されたデータを、ドライバコントローラ２９に、又は記憶するためにフレームバッファ２８に、送ることができる。生データは、通常、画像内の各ロケーションにおいて画像特性を識別する情報を指す。例えば、そのような画像特性には、色、飽和レベル、及びグレースケールレベルが含まれ得る。
【０１８１】
[0163]プロセッサ２１は、表示装置４０の動作を制御するために、マイクロコントローラ、ＣＰＵ、又は論理回路ユニットを含むことができる。調整ハードウェア５２は、スピーカ４５に信号を送信するための、及びマイクロフォン４６から信号を受信するための、増幅器とフィルタとを含む場合がある。調整ハードウェア５２は、表示装置４０内の個別構成要素であり得るか、又はプロセッサ２１若しくは他の構成要素内に組み込まれる場合がある。
【０１８２】
[0164]ドライバコントローラ２９は、プロセッサ２１によって生成された生画像データを、プロセッサ２１から直接、又はフレームバッファ２８からのいずれかで取得することができ、アレイドライバ２２への高速送信のために適切に生画像データを再フォーマットすることができる。幾つかの実装形態では、ドライバコントローラ２９は、ラスタ様フォーマットを有するデータフローに生画像データを再フォーマットすることができ、その結果、そのデータフローは、表示アレイ３０にわたって走査することに適した時間順序を有する。次いで、ドライバコントローラ２９は、フォーマット化された情報をアレイドライバ２２に送る。ＬＣＤコントローラなどのドライバコントローラ２９は、しばしば、スタンドアロン集積回路（ＩＣ）としてシステムプロセッサ２１に関連付けられるが、そのようなコントローラは多くの方法で実装される場合がある。例えば、コントローラは、ハードウェアとしてプロセッサ２１に埋め込まれるか、ソフトウェアとしてプロセッサ２１に埋め込まれるか、又はアレイドライバ２２とハードウェア内で完全に一体化される場合がある。
【０１８３】
[0165]アレイドライバ２２は、ドライバコントローラ２９からフォーマット化された情報を受信することができ、表示素子の表示器のｘ−ｙ行列から来る、数百、及び時には数千（又はより多く）のリード線に毎秒何回も印加される波形の並列セットに、ビデオデータを再フォーマットすることができる。幾つかの実装形態では、アレイドライバ２２及び表示アレイ３０は、表示器モジュールの一部である。幾つかの実装形態では、ドライバコントローラ２９、アレイドライバ２２、及び表示アレイ３０は、表示器モジュールの一部である。
【０１８４】
[0166]幾つかの実装形態では、ドライバコントローラ２９、アレイドライバ２２、及び表示アレイ３０は、本明細書に記載されたタイプの表示器のうちのいずれにも適している。例えば、ドライバコントローラ２９は、従来の表示器コントローラ又は（機械的光変調器表示素子コントローラなどの）双安定表示器コントローラであり得る。加えて、アレイドライバ２２は、従来のドライバ又は（機械的光変調器表示素子コントローラなどの）双安定表示器ドライバであり得る。その上、表示アレイ３０は、従来の表示アレイ又は（機械的光変調器表示素子のアレイを含む表示器などの）双安定表示アレイであり得る。幾つかの実装形態では、ドライバコントローラ２９は、アレイドライバ２２と一体化され得る。そのような実装形態は、高集積システム、例えば、モバイルフォン、ポータブル電子機器、腕時計、小エリア表示器において有用であり得る。
【０１８５】
[0167]幾つかの実装形態では、入力機器４８は、例えば、ユーザが表示装置４０の動作を制御することが可能になるように構成され得る。入力機器４８は、ＱＷＥＲＴＹキーボード若しくは電話キーパッドなどのキーパッド、ボタン、スイッチ、ロッカー、タッチセンシティブスクリーン、表示アレイ３０と一体化されたタッチセンシティブスクリーン、又は感圧膜若しくは感熱膜を含むことができる。マイクロフォン４６は、表示装置４０用の入力機器として構成され得る。幾つかの実装形態では、表示装置４０の動作を制御するために、マイクロフォン４６を介した音声コマンドが使用され得る。
【０１８６】
[0168]電源５０は、様々なエネルギー蓄積機器を含むことができる。例えば、電源５０は、ニッケルカドミウム電池又はリチウムイオン電池などの充電式バッテリであり得る。充電式バッテリを使用する実装形態では、充電式バッテリは、例えば、壁ソケット又は光起電性機器若しくはアレイから来る電力を使用して充電可能であり得る。代替として、充電式バッテリは、ワイヤレス充電可能であり得る。電源５０はまた、再生可能エネルギー源、キャパシタ、又は、プラスチック太陽電池若しくは太陽電池塗料を含む太陽電池であり得る。電源５０はまた、壁コンセントから電力を受信するように構成され得る。
【０１８７】
[0169]幾つかの実装形態では、制御プログラマビリティはドライバコントローラ２９内に存在し、ドライバコントローラ２９は電子表示器システム内の幾つかの場所に配置され得る。幾つかの他の実装形態では、制御のプログラマビリティはアレイドライバ２２内に存在する。上述された最適化は、任意の数のハードウェア構成要素及び／又はソフトウェア構成要素において、ならびに様々な構成において実装される場合がある。
【０１８８】
[0170]本明細書で使用される項目のリスト「のうちの少なくとも１つ」という句は、個々のメンバを含む、それらの項目の任意の組合せを指す。一例として、「ａ、ｂ、又はｃのうちの少なくとも１つ」は、ａと、ｂと、ｃと、ａ〜ｂと、ａ〜ｃと、ｂ〜ｃと、ａ〜ｂ〜ｃとを包含するものとする。
【０１８９】
[0171]本明細書で開示された実装形態に関して記載された様々な例示的な論理回路、論理回路ブロック、モジュール、回路、及びアルゴリズムプロセスは、電子ハードウェア、コンピュータソフトウェア、又は両方の組合せとして実装される場合がある。ハードウェアとソフトウェアの互換性が、概して機能に関して記載され、上述された様々な例示的な構成要素、ブロック、モジュール、回路、及びプロセスにおいて示されている。そのような機能がハードウェアに実装されるか、ソフトウェアに実装されるかは、特定の適用例及び全体的なシステムに課された設計制約に依存する。
【０１９０】
[0172]本明細書で開示された態様に関して記載された様々な例示的な論理回路、論理回路ブロック、モジュール、及び回路を実装するために使用されるハードウェア及びデータ処理装置は、本明細書に記載された機能を実行するように設計された、汎用シングルチッププロセッサ若しくは汎用マルチチッププロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブル論理回路機器、個別ゲート若しくはトランジスタ論理回路、個別ハードウェア構成要素、又はそれらの任意の組合せによって実装又は実行される場合がある。汎用プロセッサは、マイクロプロセッサ若しくは任意の従来のプロセッサ、コントローラ、マイクロコントローラ、又は状態機械であり得る。プロセッサはまた、ＤＳＰとマイクロプロセッサの組合せ、複数のマイクロプロセッサ、ＤＳＰコアと連携する１つ若しくは複数のマイクロプロセッサ、又は任意の他のそのような構成などの、コンピューティング機器の組合せとして実装される場合がある。幾つかの実装形態では、特定のプロセス及び方法が、所与の機能に固有の回路によって実行される場合がある。
【０１９１】
[0173]１つ又は複数の態様では、記載された機能は、本明細書で開示された構造とそれらの構造的均等物とを含む、ハードウェア、デジタル電子回路、コンピュータソフトウェア、ファームウェアにおいて、又はそれらの任意の組合せにおいて実装される場合がある。本明細書に記載された主題の実装はまた、データ処理装置による実行用に、又はデータ処理装置の動作を制御するために、コンピュータ記憶媒体上に符号化された、１つ又は複数のコンピュータプログラム、即ち、コンピュータプログラム命令の１つ又は複数のモジュールとして実装され得る。
【０１９２】
[0174]ソフトウェアに実装される場合、機能は、１つ又は複数の命令又はコードとして、コンピュータ可読媒体上に記憶されるか、又はコンピュータ可読媒体を介して送信される場合がある。本明細書で開示された方法又はアルゴリズムのプロセスは、コンピュータ可読媒体上に存在する場合がある、プロセッサ実行可能ソフトウェアモジュールに実装される場合がある。コンピュータ可読媒体は、ある場所から別の場所へのコンピュータプログラムの転送を可能にされ得る任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体には、ＲＡＭ、ＲＯＭ、ＥＥＰＲＯＭ（登録商標）、ＣＤ−ＲＯＭ若しくは他の光ディスクストレージ、磁気ディスクストレージ若しくは他の磁気ストレージ機器、又は命令若しくはデータ構造の形態で所望のプログラムコードを記憶するために使用され得、コンピュータによってアクセスされ得る任意の他の媒体が含まれ得る。また、任意の接続も、適切にコンピュータ可読媒体と呼ばれ得る。本明細書で使用するディスク（disk）及びディスク（disc）には、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、及びブルーレイ（登録商標）ディスク（disc）が含まれ、ディスク（disk）は、通常、データを磁気的に再生し、ディスク（disc）は、データをレーザーで光学的に再生する。上記の組合せもコンピュータ可読媒体の範囲内に含まれるべきである。加えて、方法又はアルゴリズムの動作は、コンピュータプログラム製品に組み込まれ得る、機械可読媒体及びコンピュータ可読媒体上のコード及び命令の１つ又は任意の組合せ又はセットとして存在する場合がある。
【０１９３】
[0175]本開示に記載された実装形態への様々な修正は、当業者には容易に明らかになり得、本明細書で定義された一般原理は、本開示の趣旨又は範囲から逸脱することなく、他の実装形態に適用される場合がある。従って、特許請求の範囲は、本明細書で示された実装形態に限定されるものではなく、本開示と、本明細書で開示された原理及び新規の特徴とに一致する、最も広い範囲を与られるべきである。
【０１９４】
[0176]加えて、「上側」及び「下側」という用語は、時々図の説明を簡単にするために使用され、適切に配向されたページ上の図の配向に対応する相対的位置を示し、実装されたときに任意の機器の適切な配向を反映しない場合があることを、当業者なら容易に諒解されよう。
【０１９５】
[0177]別々の実装形態という文脈で本明細書に記載された幾つかの特徴は、単一の実装形態において組合せでも実装され得る。逆に、単一の実装形態という文脈で記載された様々な特徴は、複数の実装形態において別個に、又は任意の適切な部分的組合せでも実装され得る。その上、特徴が特定の組合せで作用するものとして上述され、更に最初にそのように請求される場合があるが、請求される組合せからの１つ又は複数の特徴は、場合によっては、その組合せから切り離され得、請求される組合せは、部分的組合せ、又は部分的組合せの変形形態を対象とする場合がある。
【０１９６】
[0178]同様に、動作は特定の順序で図面に描写されるが、これは、そのような動作が、望ましい結果を達成するために、示された特定の順序で、若しくは順番に実行されること、又は全ての図示された動作が実行されることを要求するものとして理解されるべきでない。更に、図面は、流れ図の形態でもう１つの例示的なプロセスを概略的に描写する場合がある。しかしながら、描写されていない他の動作が、概略的に図示された例示的なプロセスに組み込まれ得る。例えば、１つ又は複数のさらなる動作が、図示された動作のうちのいずれかの前に、後に、同時に、又はそれらの間に実行され得る。幾つかの状況では、マルチタスキング及び並列処理が有利であり得る。その上、上述された実装形態における様々なシステム構成要素の分離は、全ての実装形態においてそのような分離を必要とするものとして理解されるべきではなく、記載されたプログラム構成要素及びシステムは、概して、単一のソフトウェア製品において一緒に一体化されるか、又は複数のソフトウェア製品にパッケージ化され得ることを理解されたい。加えて、他の実装形態が以下の特許請求の範囲内に入る。場合によっては、特許請求の範囲に列挙された動作は、異なる順序で実行され、依然として望ましい結果を達成することができる。
【図１Ａ】
2017501443.tif 000020
【図１Ｂ】
2017501443.tif 000021
【図２Ａ】
2017501443.tif 000022
【図２Ｂ】
2017501443.tif 000023
【図３】
2017501443.tif 000024
【図４】
2017501443.tif 000025
【図５】
2017501443.tif 000026
【図６】
2017501443.tif 000027
【図７】
2017501443.tif 000028
【図８】
2017501443.tif 000029
【図９】
2017501443.tif 000030
【図１０】
2017501443.tif 000031
【図１１】
2017501443.tif 000032
【図１２】
2017501443.tif 000033
【図１３】
2017501443.tif 000034
【図１４】
2017501443.tif 000035
【図１５Ａ】
2017501443.tif 000036
【図１５Ｂ】
2017501443.tif 000037
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
１組のフレーム独立寄与色（ＦＩＣＣ）に略対応する複数の色を発するように構成された複数の光源と、
前記複数の光源に結合され、
第１の画像フレームを示すデータを受信するように構成された入力論理回路と、
前記第１の画像フレーム内の支配的な色相の色相角を識別するために、色相ベースの色空間において少なくとも部分的に前記データを処理することによって、第２の画像フレームの表示に使用する少なくとも１つのフレーム固有寄与色（ＦＳＣＣ）を識別することと、ここにおいて、前記第２の画像フレームは、前記第１の画像フレーム及び前記第１の画像フレームに続く画像フレームのうちの１つであり、
前記識別された色相角に基づいて前記ＦＳＣＣを選択することと、
前記ＦＩＣＣと前記ＦＳＣＣとを使用して、前記第２の画像フレームが表示されるようにすることと
を行うように構成されたサブフィールド導出論理回路と
を備える、コントローラと
を備える、装置。
【請求項２】
前記サブフィールド導出論理回路が、前記第１の画像フレーム内の３つの支配的な色相に関連付けられた色相角を識別することによって３つのＦＳＣＣを識別することと、前記ＦＩＣＣと識別された前記３つのＦＳＣＣとを使用して、前記第２の画像フレームが表示されるようにすることとを行うように更に構成される、請求項１に記載の装置。
【請求項３】
前記サブフィールド導出論理回路が、識別された前記支配的な色相に基づいて前記複数の光源についての１組の相対照度を取得することによって、識別された前記支配的な色相に対応するように、前記ＦＳＣＣを設定するように更に構成される、請求項１に記載の装置。
【請求項４】
前記サブフィールド導出論理回路が、前記第１の画像フレーム内の複数の色相の頻度分布を決定することによって、前記色相ベースの色空間において少なくとも部分的に前記データを処理するように更に構成される、請求項１に記載の装置。
【請求項５】
前記サブフィールド導出論理回路が、前記受信データに含まれる複数の画素値をＲＧＢ色空間から前記色相ベースの色空間に変換することによって、前記色相ベースの色空間において少なくとも部分的に前記データを処理するように更に構成される、請求項４に記載の装置。
【請求項６】
前記第２の画像フレーム用の大部分の光エネルギー出力が、前記少なくとも１つのＦＳＣＣを使用して出力されるように、前記コントローラが、前記ＦＩＣＣと前記少なくとも１つのＦＳＣＣとを使用して前記第２の画像フレームを表示するように構成される、請求項１に記載の装置。
【請求項７】
少なくとも１つのＦＩＣＣについて表示されるようにされた少なくとも１つのサブフレームが、前記少なくとも１つのＦＳＣＣについて表示される任意のサブフレームの最低の重みよりも小さい対応する重みを有するように、前記コントローラが、前記ＦＩＣＣと前記少なくとも１つのＦＳＣＣとを使用して前記第２の画像フレームを表示するように構成される、請求項１に記載の装置。
【請求項８】
ＦＩＣＣと前記ＦＳＣＣとを使用して前記第２の画像フレームを表示するために前記装置によって消費される推定電力が、ＦＩＣＣのみを使用して前記第２の画像フレームを表示するために前記装置によって消費される推定電力よりも小さいとの決定に基づいて、前記サブフィールド導出論理回路が、前記ＦＩＣＣと前記ＦＳＣＣとを使用して前記第２の画像フレームが表示されるようにするように更に構成される、請求項１に記載の装置。
【請求項９】
前記複数の光源を含む表示器と、
前記表示器と通信するように構成されたプロセッサと、前記プロセッサは、画像データを処理するように構成される、
前記プロセッサと通信するように構成されたメモリデバイスと
を更に備える、請求項１に記載の装置。
【請求項１０】
前記表示器が、
前記表示器に少なくとも１つの信号を送るように構成されたドライバ回路と、
前記ドライバ回路に前記画像データの少なくとも一部分を送るように構成された前記コントローラと
を更に含む、請求項９に記載の装置。
【請求項１１】
前記表示器が、
前記プロセッサに前記画像データを送るように構成された画像ソースモジュールを更に含み、前記画像ソースモジュールが、受信機、トランシーバ、及び送信機のうちの少なくとも１つを含む、請求項９に記載の装置。
【請求項１２】
前記表示器が、
入力データを受信し、前記プロセッサに前記入力データを通信するように構成された入力機器を更に含む、請求項９に記載の装置。
【請求項１３】
画像フレームを表示するための方法であって、
第１の画像フレームを示すデータを受信することと、
前記第１の画像フレーム内の少なくとも１つの支配的な色相に関連付けられた少なくとも１つの色相角を識別するために、色相ベースの色空間において少なくとも部分的に前記受信データを処理することと、
前記少なくとも１つの色相角に基づいて少なくとも１つのフレーム固有寄与色（ＦＳＣＣ）を選択することと、
１組のフレーム独立寄与色（ＦＩＣＣ）を決定することと、
前記ＦＩＣＣと前記少なくとも１つのＦＳＣＣとを使用して第２の画像フレームを表示することと、ここにおいて、前記第２の画像フレームは、前記第１の画像フレーム及び前記第１の画像フレームに続く画像フレームのうちの１つである、
を備える、方法。
【請求項１４】
前記少なくとも１つのＦＳＣＣを選択することが、前記第１の画像フレーム内の３つの支配的な色相に関連付けられた色相角を識別することに基づいて３つのＦＳＣＣを選択することを含み、前記第２の画像フレームを表示することが、前記ＦＩＣＣと前記３つのＦＳＣＣとを使用して前記第２の画像フレームを表示することを含む、請求項１３に記載の方法。
【請求項１５】
前記色相ベースの色空間において少なくとも部分的に前記受信データを処理することが、前記第１の画像フレーム内の複数の色相の頻度分布を決定することを含む、請求項１３に記載の方法。
【請求項１６】
前記色相ベースの色空間において少なくとも部分的に前記受信データを処理することが、前記受信データに含まれる複数の画素値をＲＧＢ色空間から前記色相ベースの色空間に変換することを更に含む、請求項１５に記載の方法。
【請求項１７】
前記ＦＩＣＣと前記少なくとも１つのＦＳＣＣとを使用して前記第２の画像フレームを表示することが、前記第２の画像フレーム用の大部分の光エネルギー出力が前記少なくとも１つのＦＳＣＣを使用して出力されるように、前記第２の画像フレームを表示することを含む、請求項１３に記載の方法。
【請求項１８】
前記ＦＩＣＣと前記少なくとも１つのＦＳＣＣとを使用して前記第２の画像フレームを表示することが、前記ＦＩＣＣのうちの少なくとも１つについて表示されるようにされた少なくとも１つのサブフレームが、前記少なくとも１つのＦＳＣＣについて表示されるようにされた任意のサブフレームの最低の重みよりも小さい対応する重みを有するように、前記第２の画像フレームを表示することを含む、請求項１３に記載の方法。
【請求項１９】
前記ＦＩＣＣと前記少なくとも１つのＦＳＣＣとを使用して前記第２の画像フレームを表示することが、前記ＦＩＣＣと前記少なくとも１つのＦＳＣＣとを使用して前記第２の画像フレームを表示するために消費される推定電力が、前記ＦＩＣＣのみを使用して前記第２の画像フレームを表示するために消費される推定電力よりも小さいと決定することを含む、請求項１３に記載の方法。
【請求項２０】
プロセッサによって実行されると、
第１の画像フレームを示すデータを受信することと、
前記第１の画像フレーム内の少なくとも１つの支配的な色相に関連付けられた少なくとも１つの色相角を識別するために、色相ベースの色空間において少なくとも部分的に前記受信データを処理することと、
前記少なくとも１つの色相角に基づいて少なくとも１つのフレーム固有寄与色（ＦＳＣＣ）を選択することと、
１組のフレーム独立寄与色（ＦＩＣＣ）を決定することと、
前記ＦＩＣＣと前記少なくとも１つのＦＳＣＣとを使用して第２の画像フレームを表示することと、ここにおいて、前記第２の画像フレームは、前記第１の画像フレーム及び前記第１の画像フレームに続く画像フレームのうちの１つである、
を備える、画像を表示するための方法を前記プロセッサに実行させる、符号化された命令を有する、コンピュータ可読記憶媒体。
【請求項２１】
前記少なくとも１つのＦＳＣＣを選択することが、前記第１の画像フレーム内の３つの支配的な色相に関連付けられた色相角を識別することに基づいて３つのＦＳＣＣを選択することを含み、前記第２の画像フレームを表示することが、前記ＦＩＣＣと前記３つのＦＳＣＣとを使用して、前記第２の画像フレームを表示することを含む、請求項２０に記載のコンピュータ可読記憶媒体。
【請求項２２】
前記ＦＩＣＣと前記少なくとも１つのＦＳＣＣとを使用して前記第２の画像フレームを表示することが、前記ＦＩＣＣのうちの少なくとも１つについて表示されるようにされた少なくとも１つのサブフレームが、前記少なくとも１つのＦＳＣＣについて表示されるようにされた任意のサブフレームの最低の重みよりも小さい対応する重みを有するように、前記第２の画像フレームを表示することを含む、請求項２０に記載のコンピュータ可読記憶媒体。
【請求項２３】
前記色相ベースの色空間において少なくとも部分的に前記受信データを処理することが、前記第１の画像フレーム内の複数の色相の頻度分布を決定することを含む、請求項２０に記載のコンピュータ可読記憶媒体。
【手続補正２】
【補正対象書類名】明細書
【補正対象項目名】０１９６
【補正方法】変更
【補正の内容】
【０１９６】
[0178]同様に、動作は特定の順序で図面に描写されるが、これは、そのような動作が、望ましい結果を達成するために、示された特定の順序で、若しくは順番に実行されること、又は全ての図示された動作が実行されることを要求するものとして理解されるべきでない。更に、図面は、流れ図の形態でもう１つの例示的なプロセスを概略的に描写する場合がある。しかしながら、描写されていない他の動作が、概略的に図示された例示的なプロセスに組み込まれ得る。例えば、１つ又は複数のさらなる動作が、図示された動作のうちのいずれかの前に、後に、同時に、又はそれらの間に実行され得る。幾つかの状況では、マルチタスキング及び並列処理が有利であり得る。その上、上述された実装形態における様々なシステム構成要素の分離は、全ての実装形態においてそのような分離を必要とするものとして理解されるべきではなく、記載されたプログラム構成要素及びシステムは、概して、単一のソフトウェア製品において一緒に一体化されるか、又は複数のソフトウェア製品にパッケージ化され得ることを理解されたい。加えて、他の実装形態が以下の特許請求の範囲内に入る。場合によっては、特許請求の範囲に列挙された動作は、異なる順序で実行され、依然として望ましい結果を達成することができる。
以下に本願発明の当初の特許請求の範囲に記載された発明を付記する。
［Ｃ１］
１組のフレーム独立寄与色（ＦＩＣＣ）に略対応する複数の色を発するように構成された複数の光源と、
前記複数の光源に結合され、
第１の画像フレームを示すデータを受信するように構成された入力論理回路と、
前記第１の画像フレーム内の支配的な色相の色相角を識別するために、色相ベースの色空間において少なくとも部分的に前記データを処理することによって、第２の画像フレームの表示に使用する少なくとも１つのフレーム固有寄与色（ＦＳＣＣ）を識別することと、ここにおいて、前記第２の画像フレームは、前記第１の画像フレーム及び前記第１の画像フレームに続く画像フレームのうちの１つであり、
前記識別された色相角に基づいて前記ＦＳＣＣを選択することと、
前記ＦＩＣＣと前記ＦＳＣＣとを使用して、前記第２の画像フレームが表示されるようにすることと
を行うように構成されたサブフィールド導出論理回路と
を備える、コントローラと
を備える、装置。
［Ｃ２］
前記サブフィールド論理回路が、前記第１の画像フレーム内の３つの支配的な色相に関連付けられた色相角を識別することによって３つのＦＳＣＣを識別することと、前記ＦＩＣＣと識別された前記３つのＦＳＣＣとを使用して、前記第２の画像フレームが表示されるようにすることとを行うように更に構成される、Ｃ１に記載の装置。
［Ｃ３］
前記サブフィールド導出論理回路が、識別された前記支配的な色相に基づいて前記複数の光源についての１組の相対照度を取得することによって、識別された前記支配的な色相に対応するように、前記ＦＳＣＣを設定するように更に構成される、Ｃ１に記載の装置。
［Ｃ４］
前記サブフィールド導出論理回路が、前記第１の画像フレーム内の複数の色相の頻度分布を決定することによって、前記色相ベースの色空間において少なくとも部分的に前記データを処理するように更に構成される、Ｃ１に記載の装置。
［Ｃ５］
前記サブフィールド導出論理回路が、前記受信データに含まれる複数の画素値をＲＧＢ色空間から前記色相ベースの色空間に変換することによって、前記色相ベースの色空間において少なくとも部分的に前記データを処理するように更に構成される、Ｃ４に記載の装置。
［Ｃ６］
前記第２の画像フレーム用の大部分の光エネルギー出力が、前記少なくとも１つのＦＳＣＣを使用して出力されるように、前記コントローラが、前記ＦＩＣＣと前記少なくとも１つのＦＳＣＣとを使用して前記第２の画像フレームを表示するように構成される、Ｃ１に記載の装置。
［Ｃ７］
少なくとも１つのＦＩＣＣについて表示されるようにされた少なくとも１つのサブフレームが、前記少なくとも１つのＦＳＣＣについて表示される任意のサブフレームの最低の重みよりも小さい対応する重みを有するように、前記コントローラが、前記ＦＩＣＣと前記少なくとも１つのＦＳＣＣとを使用して前記第２の画像フレームを表示するように構成される、Ｃ１に記載の装置。
［Ｃ８］
ＦＩＣＣと前記ＦＳＣＣとを使用して前記第２の画像フレームを表示するために前記装置によって消費される推定電力が、ＦＩＣＣのみを使用して前記第２の画像フレームを表示するために前記装置によって消費される推定電力よりも小さいとの決定に基づいて、前記サブフィールド導出論理回路が、前記ＦＩＣＣと前記ＦＳＣＣとを使用して前記第２の画像フレームが表示されるようにするように更に構成される、Ｃ１に記載の装置。
［Ｃ９］
前記複数の光源を含む表示器と、
前記表示器と通信するように構成されたプロセッサと、前記プロセッサは、画像データを処理するように構成される、
前記プロセッサと通信するように構成されたメモリデバイスと
を更に備える、Ｃ１に記載の装置。
［Ｃ１０］
前記表示器が、
前記表示器に少なくとも１つの信号を送るように構成されたドライバ回路と、
前記ドライバ回路に前記画像データの少なくとも一部分を送るように構成されたコントローラと
を更に含む、Ｃ９に記載の装置。
［Ｃ１１］
前記表示器が、
前記プロセッサに前記画像データを送るように構成された画像ソースモジュールを更に含み、前記画像ソースモジュールが、受信機、トランシーバ、及び送信機のうちの少なくとも１つを含む、Ｃ９に記載の装置。
［Ｃ１２］
前記表示器が、
入力データを受信し、前記プロセッサに前記入力データを通信するように構成された入力機器
を更に含む、Ｃ９に記載の装置。
［Ｃ１３］
画像フレームを表示するための方法であって、
第１の画像フレームを示すデータを受信することと、
前記第１の画像フレーム内の少なくとも１つの支配的な色相に関連付けられた少なくとも１つの色相角を識別するために、色相ベースの色空間において少なくとも部分的に前記受信データを処理することと、
前記少なくとも１つの色相角に基づいて少なくとも１つのフレーム固有寄与色（ＦＳＣＣ）を選択することと、
１組のフレーム独立寄与色（ＦＩＣＣ）を決定することと、
前記ＦＩＣＣと前記少なくとも１つのＦＳＣＣとを使用して第２の画像フレームを表示することと、ここにおいて、前記第２の画像フレームは、前記第１の画像フレーム及び前記第１の画像フレームに続く画像フレームのうちの１つである、
を備える、方法。
［Ｃ１４］
前記少なくとも１つのＦＳＣＣを選択することが、前記第１の画像フレーム内の３つの支配的な色相に関連付けられた色相角を識別することに基づいて３つのＦＳＣＣを選択することを含み、前記第２の画像フレームを表示することが、前記ＦＩＣＣと前記３つのＦＳＣＣとを使用して前記第２の画像フレームを表示することを含む、Ｃ１３に記載の方法。
［Ｃ１５］
前記色相ベースの色空間において少なくとも部分的に前記受信データを処理することが、前記第１の画像フレーム内の複数の色相の頻度分布を決定することを含む、Ｃ１３に記載の方法。
［Ｃ１６］
前記色相ベースの色空間において少なくとも部分的に前記受信データを処理することが、前記受信データに含まれる複数の画素値をＲＧＢ色空間から前記色相ベースの色空間に変換することを更に含む、Ｃ１５に記載の方法。
［Ｃ１７］
前記ＦＩＣＣと前記少なくとも１つのＦＳＣＣとを使用して前記第２の画像フレームを表示することが、前記第２の画像フレーム用の大部分の光エネルギー出力が前記少なくとも１つのＦＳＣＣを使用して出力されるように、前記第２の画像フレームを表示することを含む、Ｃ１３に記載の方法。
［Ｃ１８］
前記ＦＩＣＣと前記少なくとも１つのＦＳＣＣとを使用して前記第２の画像フレームを表示することが、前記ＦＩＣＣのうちの少なくとも１つについて表示されるようにされた少なくとも１つのサブフレームが、前記少なくとも１つのＦＳＣＣについて表示されるようにされた任意のサブフレームの最低の重みよりも小さい対応する重みを有するように、前記第２の画像フレームを表示することを含む、Ｃ１３に記載の方法。
［Ｃ１９］
前記ＦＩＣＣと前記少なくとも１つのＦＳＣＣとを使用して前記第２の画像フレームを表示することが、前記ＦＩＣＣと前記少なくとも１つのＦＳＣＣとを使用して前記第２の画像フレームを表示するために消費される推定電力が、前記ＦＩＣＣのみを使用して前記第２の画像フレームを表示するために消費される推定電力よりも小さいと決定することを含む、Ｃ１３に記載の方法。
［Ｃ２０］
プロセッサによって実行されると、
第１の画像フレームを示すデータを受信することと、
前記第１の画像フレーム内の少なくとも１つの支配的な色相に関連付けられた少なくとも１つの色相角を識別するために、色相ベースの色空間において少なくとも部分的に前記受信データを処理することと、
前記少なくとも１つの色相角に基づいて少なくとも１つのフレーム固有寄与色（ＦＳＣＣ）を選択することと、
１組のフレーム独立寄与色（ＦＩＣＣ）を決定することと、
前記ＦＩＣＣと前記少なくとも１つのＦＳＣＣとを使用して第２の画像フレームを表示することと、ここにおいて、前記第２の画像フレームは、前記第１の画像フレーム及び前記第１の画像フレームに続く画像フレームのうちの１つである、
を備える、画像を表示するための方法を前記プロセッサに実行させる、符号化された命令を有する、非一時的コンピュータ可読記憶媒体。
［Ｃ２１］
前記少なくとも１つのＦＳＣＣを選択することが、前記第１の画像フレーム内の３つの支配的な色相に関連付けられた色相角を識別することに基づいて３つのＦＳＣＣを選択することを含み、前記第２の画像フレームを表示することが、前記ＦＩＣＣと前記３つのＦＳＣＣとを使用して、前記第２の画像フレームを表示することを含む、Ｃ２０に記載の非一時的コンピュータ可読記憶媒体。
［Ｃ２２］
前記ＦＩＣＣと前記少なくとも１つのＦＳＣＣとを使用して前記第２の画像フレームを表示することが、前記ＦＩＣＣのうちの少なくとも１つについて表示されるようにされた少なくとも１つのサブフレームが、前記少なくとも１つのＦＳＣＣについて表示されるようにされた任意のサブフレームの最低の重みよりも小さい対応する重みを有するように、前記第２の画像フレームを表示することを含む、Ｃ２０に記載の非一時的コンピュータ可読記憶媒体。
［Ｃ２３］
前記色相ベースの色空間において少なくとも部分的に前記受信データを処理することが、前記第１の画像フレーム内の複数の色相の頻度分布を決定することを含む、Ｃ２０に記載の非一時的コンピュータ可読記憶媒体。
【国際調査報告】
2017501443.tif 000038
2017501443.tif 000039